(57)【要約】【課題】従来から、フィギュアや模型等の装飾物を展示するショーケース（展示ケース）において、装飾物を載置する台座の内部や台座より上方に所定の光源を設け、当該光源から装飾物に向けて光を照射するものが知られている。然しながら、光源の設置位置が固定されており、装飾性も画一的で、装飾性を十分に高めるにいたっていなかった。【解決手段】飾りケース内に設けたマジックミラー及び発光部によって、多様な装飾態様を提供し、飾りケース及び装飾物の装飾性を向上させることにある。【選択図】  図１
2018011625.tif 000002
【特許請求の範囲】
【請求項１】
第１装飾物を設置可能な第１空間と、第２装飾物を設置可能な第２空間と、前記第１空間と前記第２空間とを隔てる隔壁と、前記第２空間内に光を照射可能な発光部と、を備えた飾りケースであって、
前記隔壁はマジックミラーで構成され、
前記第１空間は、周囲の少なくとも一部を区画されていないか、若しくは、前記マジックミラー、及び、前記飾りケース外から前記第１空間内を視認可能な透明部材、を少なくとも有して形成され、
前記第２空間は、前記マジックミラー、及び、前記飾りケース外から前記第２空間内を視認困難又は視認不能な不透明部材、によって形成されており、
前記発光部を発光させない状態において、前記第２空間は、内部を視認困難又は視認不能な暗空間とされ、
前記発光部を発光させた状態において、前記第２空間は、内部を視認可能な明空間とされると共に、当該第２空間内部を、前記第１空間及び前記マジックミラーを通して視認可能とする
ことを特徴とする飾りケース。
【請求項２】
第１装飾物を設置可能な第１空間と、第２装飾物を設置可能な第２空間と、前記第１空間と前記第２空間とを隔てる隔壁と、前記第２空間内に光を照射可能な発光部と、を備えた飾りケースであって、
前記隔壁はマジックミラーで構成され、
前記第１空間は、前記マジックミラー、及び、前記飾りケース外から前記第１空間内を視認可能な透明部材、を少なくとも有して形成され、
前記第２空間は、前記マジックミラー、及び、前記飾りケース外から前記第２空間内を視認困難又は視認不能な不透明部材、によって形成されており、
前記発光部を発光させない状態において、前記第２空間は、内部を視認困難又は視認不能な暗空間とされ、
前記発光部を発光させた状態において、前記第２空間は、内部を視認可能な明空間とされると共に、当該第２空間内部を、前記第１空間及び前記マジックミラーを通して視認可能とする
ことを特徴とする飾りケース。
【請求項３】
前記発光部が発光しない場合、前記第１空間内に設置される前記第１装飾物を視認可能とすると共に、前記第２空間内に設置される前記第２装飾物を視認困難又は視認不能とし、
前記発光部が発光する場合、前記第１空間内に設置される前記第１装飾物及び前記第２空間内に設置される前記第２装飾物の両方を視認可能とする
ことを特徴とする請求項１又は請求項２に記載の飾りケース。
【請求項４】
前記第２空間内の床部及び天井部の少なくとも一方には、複数の設置部が設けられており、
前記複数の設置部のうち所定の設置部を、電力を供給可能な電力供給部と接続すると共に、前記電力供給部と接続した前記設置部を通電設置部として設定し、
前記第２空間内に設定された前記通電設置部に前記発光部を設置可能とした
ことを特徴とする請求項１乃至請求項３の何れか一項に記載の飾りケース。
【請求項５】
前記第２空間内の床部及び天井部の少なくとも一方側の内部に前記発光部を有しており、
前記発光部を発光させることで、前記床部及び／又は前記天井部を通して、前記第２空間内に光を照射する
ことを特徴とする請求項１乃至請求項３の何れか一項に記載の飾りケース。
【請求項６】
前記飾りケース内の床部及び天井部の少なくとも一方には、複数の設置部が設けられており、
前記複数の設置部のうち任意の設置部を用いて前記マジックミラーを設置することで前記隔壁を形成する
ことを特徴とする請求項１乃至請求項５の何れか一項に記載の飾りケース。
【発明の詳細な説明】
【技術分野】
【０００１】
本発明は、フィギュア、模型、装飾品等の装飾物を収納して飾る飾りケースに関するものである。
【背景技術】
【０００２】
従来から、フィギュアや模型等の装飾物を展示するショーケースにおいて、装飾物を載置する台座の内部に光源を設け、当該光源から装飾物に向けて光を照射するものが知られている。これは、装飾物の足元から装飾物を照らすことで、装飾物全体をきれいに見せるようにするものである（例えば、特許文献１）。また、特許文献１には、台座の端部に立設した自在アームの端部に光源を取り付け、装飾物の上方から光を照射することが記載されている。
【先行技術文献】
【特許文献】
【０００３】
【特許文献１】特開２０１２−２００３６９号公報
【発明の概要】
【発明が解決しようとする課題】
【０００４】
前述した特許文献１は、台座の内部に設置した光源、及び、台座の端部から立設した自在アームの端部に取り付けられた光源によって、ショーケース内に展示された装飾物の上下両方から光を照射している。然しながら、特許文献１の構成では、上下の特定箇所から装飾物に光を照射しているに過ぎず、装飾態様が画一的で、装飾効果も限定的であった。
【０００５】
本発明は、前述した事情に鑑みてなされたものであり、その目的とするところは、飾りケース内に設けたマジックミラー及び発光部によって、多様な装飾態様を提供し、装飾性を向上させることにある。
【課題を解決するための手段】
【０００６】
上述の課題を解決するための第１発明の飾りケースは、
第１装飾物を設置可能な第１空間と、第２装飾物を設置可能な第２空間と、前記第１空間と前記第２空間とを隔てる隔壁と、前記第２空間内に光を照射可能な発光部と、を備えた飾りケースであって、
前記隔壁はマジックミラーで構成され、
前記第１空間は、周囲の少なくとも一部を区画されていないか、若しくは、前記マジックミラー、及び、前記飾りケース外から前記第１空間内を視認可能な透明部材、を少なくとも有して形成され、
前記第２空間は、前記マジックミラー、及び、前記飾りケース外から前記第２空間内を視認困難又は視認不能な不透明部材、によって形成されており、
前記発光部を発光させない状態において、前記第２空間は、内部を視認困難又は視認不能な暗空間とされ、
前記発光部を発光させた状態において、前記第２空間は、内部を視認可能な明空間とされると共に、当該第２空間内部を、前記第１空間及び前記マジックミラーを通して視認可能とするものである。
【０００７】
このような飾りケースによれば、飾りケースに、第１装飾物を設置可能な第１空間と、第２装飾物を設置可能な第２空間と、第２空間内に光を照射可能な発光部とを備え、第１空間と第２空間とを仕切る隔壁をマジックミラーとしている。また、第１空間は、すくなくとも一部が空間を区画されていないか、若しくは、マジックミラー及び透明部材を少なくとも有して形成される。これにより、第１空間は内部を視認することが可能となる。また、第２空間は、マジックミラー及び不透明部材によって形成されている。そして、第２空間は、発光部を発光しない状態では暗空間とされて内部を視認困難（又は、視認不能）とされる。また、発光部を発光した状態で、第２空間は明空間とされ、第１空間側からマジックミラーを通して第２空間内部を視認可能とされる。
【０００８】
これにより、発光部の発光・非発光によって、飾りケース内の視認可能な空間（領域）を変化させ、展示ケース内の視認される装飾態様を変化させることが可能となる。またこれにより、飾りケースに飾られる装飾物の装飾態様（視認態様）を多様化し、装飾性を向上させることが可能となる。ここで、「第１空間」は、飾りケース外の外光（室内照明等）や第１空間に設けられた発光部等によって照射される明空間（明るい空間）とされる。これにより、第１空間に設置される第１装飾物は、飾りケース外から視認可能とされる。
【０００９】
また、「第１空間は、周囲の少なくとも一部を区画されていないか、若しくは、マジックミラー及び透明部材を少なくとも有して形成される」とは、例えば、第１空間を区画するものは飾り台とマジックミラーだけとしたり、第１空間を形成する床部材、天井部材及び側壁部材の全部をマジックミラー及び透明部材で形成する態様や、これらの少なくとも一部をマジックミラー及び透明部材で形成し、他（残部）を不透明部材で形成する態様を挙げることができる。また、「第２空間」は、当該第２空間を形成する床部材、天井部材及び側壁部材を、全てマジックミラー及び不透明部材で形成する。これにより、第２空間内部に光を照射する発光部を発光させない状態では、第２空間を暗空間とし、第２空間外部から第２空間内部を視認することが困難（又は、不能）な状態とすることができる。また、少なくとも第１空間及び第２空間を有していれば足り、これに加えて第３空間や第４空間を有してもよい。
【００１０】
また、第２発明の飾りケースは、第１発明の飾りケースにおいて、
第１装飾物を設置可能な第１空間と、第２装飾物を設置可能な第２空間と、前記第１空間と前記第２空間とを隔てる隔壁と、前記第２空間内に光を照射可能な発光部と、を備えた飾りケースであって、
前記隔壁はマジックミラーで構成され、
前記第１空間は、前記マジックミラー、及び、前記飾りケース外から前記第１空間内を視認可能な透明部材、を少なくとも有して形成され、
前記第２空間は、前記マジックミラー、及び、前記飾りケース外から前記第２空間内を視認困難又は視認不能な不透明部材、によって形成されており、
前記発光部を発光させない状態において、前記第２空間は、内部を視認困難又は視認不能な暗空間とされ、
前記発光部を発光させた状態において、前記第２空間は、内部を視認可能な明空間とされると共に、当該第２空間内部を、前記第１空間及び前記マジックミラーを通して視認可能とする
ことを特徴とするものである。
【００１１】
このような飾りケースによれば、飾りケースに、第１装飾物を設置可能な第１空間と、第２装飾物を設置可能な第２空間と、第２空間内に光を照射可能な発光部とを備え、第１空間と第２空間とを仕切る隔壁をマジックミラーとしている。また、第１空間は、マジックミラー及び透明部材を少なくとも有して形成され、第２空間は、マジックミラー及び不透明部材によって形成されている。そして、第２空間は、発光部を発光しない状態では暗空間とされて内部を視認困難（又は、視認不能）とされる。また、発光部を発光した状態で、第２空間は明空間とされ、第１空間側からマジックミラーを通して第２空間内部を視認可能とされる。
【００１２】
これにより、発光部の発光・非発光によって、飾りケース内の視認可能な空間（領域）を変化させ、展示ケース内の視認される装飾態様を変化させることが可能となる。またこれにより、飾りケースに飾られる装飾物の装飾態様（視認態様）を多様化し、装飾性を向上させることが可能となる。
【００１３】
また、第３発明の飾りケースは、第１発明又は第２発明の飾りケースにおいて、
前記発光部が発光しない場合、前記第１空間内に設置される前記第１装飾物を視認可能とすると共に、前記第２空間内に設置される前記第２装飾物を視認困難又は視認不能とし、
前記発光部が発光する場合、前記第１空間内に設置される前記第１装飾物及び前記第２空間内に設置される前記第２装飾物の両方を視認可能とする
ことを特徴とするものである。
【００１４】
このような飾りケースによれば、第２空間内に光を照射する発光部を発光しない場合（非発光とする場合）、すなわち、第１空間を明空間とし第２空間を暗空間とする場合、第１空間内の第１装飾物を視認可能とすると共に、第２空間内の第２装飾物を視認困難（又は、視認不能）とする。また、第２空間内に光を照射する発光部を発光する場合、すなわち、第１空間及び第２空間を何れも明空間とする場合、第１空間内の第１装飾物及び第２空間内の第２装飾物の両方を視認可能とする。これにより、発光部の発光態様（発光・非発光）を変えることで、飾りケース（第１空間及び第２空間）内に設置する装飾物（第１装飾物及び第２装飾物）の視認対象（視認態様）を変化させることが可能となる。またこれにより、飾りケースに飾られる装飾物の装飾態様を多様化し、装飾性を向上させることが可能となる。
【００１５】
また、第４発明の飾りケースは、第１発明乃至第３発明の飾りケースにおいて、
前記第２空間内の床部及び天井部の少なくとも一方には、複数の設置部が設けられており、
前記複数の設置部のうち所定の設置部を、電力を供給可能な電力供給部と接続すると共に、前記電力供給部と接続した前記設置部を通電設置部として設定し、
前記第２空間内に設定された前記通電設置部に前記発光部を設置可能とした
ことを特徴とするものである。
【００１６】
このような飾りケースによれば、第２空間内の床部及び天井部の少なくとも一方に複数の設置部を設け、複数の設置部から選択した所定の設置部を電力供給部と通電可能に接続して、当該設置部を通電設置部として設定する。そして、第２空間内に設定された通電設置部に発光部を設置することで、当該発光部を発光可能としている。これにより、複数の設置部から選択した任意の通電設置部に発光部を設置して発光させることが可能となるので、第２空間に設置する第２装飾物の大きさ、形状等や第２空間の大きさ形状等に応じて、発光部を設置でき、装飾効果を高めることが可能となる。また、発光部を、任意の通電設置部に設置するだけで通電可能（発光可能）であるので、容易に装飾物の装飾性を向上させることが可能となる。ここで、複数の設置部のうち、任意の１又は複数の設置部を通電設置部としてもよい。また、１又は複数の通電設置部のうち、任意の１又は複数の通電設置部に発光部等の電気的装飾物を設置してもよい。
【００１７】
また、第５発明の飾りケースは、第１発明乃至第３発明の飾りケースにおいて、
前記第２空間内の床部及び天井部の少なくとも一方側の内部に前記発光部を有しており、
前記発光部を発光させることで、前記床部及び／又は前記天井部を通して、前記第２空間内に光を照射する
ことを特徴とするものである。
【００１８】
このような飾りケースによれば、第２空間内の床部及び天井部の少なくとも一方側の内部に発光部を有するものとする。そして、床部側内部に発光部を有する場合には当該床部を通して第２空間内に光を照射し、天井部側内部に発光部を有する場合には当該天井部を通して第２空間内に光を照射することを可能にしている。これにより、発光部を発光させると、床部又は天井部から光を照射することで、第２空間内を明空間として第２空間内に設置される装飾物を視認可能とし、装飾態様に変化を与え、装飾効果を高めることが可能となる。
【００１９】
また、第６発明の飾りケースは、第１発明乃至第５発明の飾りケースにおいて、
前記飾りケース内の床部及び天井部の少なくとも一方には、複数の設置部が設けられており、
前記複数の設置部のうち任意の設置部を用いて前記マジックミラーを設置することで前記隔壁を形成する
ことを特徴とするものである。
【００２０】
このような飾りケースによれば、飾りケース内の床部及び天井部の少なくとも一方に複数の設置部を設け、これら複数の設置部から選択した任意の設置部を用いて、第１空間及び第２空間の隔壁であるマジックミラーを設置するものとしている。これにより、床部及び天井部の少なくとも一方に設けた設置部を用いることで、飾りケース内にマジックミラーを設置可能としている。また、複数の設置部のうちの任意の設置部を用いて設置可能とすることで、飾りケース内の任意の位置にマジックミラーを設置可能とした。これにより、第１空間及び第２空間の大きさを任意の大きさに設定したり、第１空間と第２空間との大きさのバランスを任意に設定したりすることを可能とした。またこれにより、飾りケース及び飾りケース内に飾られる装飾物の装飾性を向上させることが可能となる。
【発明の効果】
【００２１】
本発明の飾りケースによれば、飾りケース内に設けたマジックミラー及び発光部によって、多様な装飾態様を提供すると共に、装飾性の向上を図ることが可能となる。
【図面の簡単な説明】
【００２２】
【図１】第１実施形態に係る展示ケースを示す斜視図である。
【図２】展示ケースの天井部材を構成する第１展示部材の分解斜視図である。
【図３】図３（ａ）は、展示ケースの天井部材をステージ面側からみた分解斜視図であり、図３（ｂ）は、展示ケースの天井部材をステージ面の反対の面側からみた分解斜視図である。
【図４】図４（ａ）は、展示ケースの天井部材をステージ面側からみた分解斜視図であり、図４（ｂ）は、展示ケースの天井部材をステージ面の反対の面側からみた分解斜視図である。
【図５】図５（ａ）は、展示ケースを構成する天井部材の配線構造を示す図であり、図５（ｂ）は、電源ユニットを示す図である。
【図６】図６（ａ）は、図２に示す領域Ｐを拡大した図である。図６（ｂ）は、第１設置穴に嵌合可能な通電ジャックを示す図である。図６（ｃ）は、第１設置穴に嵌合可能な非通電ジャックを示す図である。図６（ｄ）は、第２設置穴に挿入して設置可能な支持部材を示す図である。図６（ｅ）は、第１設置穴を第２設置穴に変換可能な穴径変換部材を示す図である。図６（ｆ）は、マジックミラー取付部材を展示ケースに取り付けるための固定具を示す図である。
【図７】図７（ａ）及び（ｂ）は、発光装飾物を示す図である。図７（ｃ）及び（ｂ）は、他の発光装飾物を示す図である。
【図８】図８（ａ）は、展示ケースを正面からみた図である。図８（ｂ）は、図８（ａ）に示すＡ−Ａ線による断面を示す図である。
【図９】展示ケースの展示台を構成する第２展示部材の分解斜視図である。
【図１０】展示ケースを構成する展示台の配線構造を示す図である。
【図１１】図１１（ａ）は、マジックミラーを取り付けるためのマジックミラー取付部材をマジックミラー取付面側からみた図である。図１１（ｂ）は、マジックミラー取付部材をマジックミラー取付面と反対の面側からみた図である。図１１（ｃ）は、マジックミラー取付部材に固定具を挿入した図である。
【図１２】展示台に装飾物を設置した斜視図である。
【図１３】展示ケース内の視認態様の変化を示す図である。
【図１４】第２実施形態の展示台に、装飾物を設置した斜視図である。
【図１５】図１５（ａ）は、第３実施形態の展示ケースを、正面から見た図である。図１５（ｂ）は、第３実施形態の展示ケースを、側面から見た図である。図１５（ｃ）は、図１５（ａ）に示すＢ−Ｂ線による断面を示す図である。
【図１６】第３実施形態の展示ケースを一部分解した斜視図である。
【図１７】第３実施形態の展示ケースを一部分解した斜視図である。
【図１８】第３実施形態の展示ケースを構成する展示台の配線構造を示す図である。
【図１９】第３実施形態の展示ケース内の視認態様の変化を示す図である。
【図２０】図２０（ａ）は、第４実施形態の展示台又は／及び天井部材を示す図である。図２０（ｂ）は、第４実施形態の展示台又は／及び天井部材の配線構造を示す図である。
【図２１】第５実施形態の展示台又は／及び天井部材の配線構造を示す図である。
【図２２】図２２（ａ）は、第６実施形態の第３展示部材を上方から見た図である。図２２（ｂ）は、第６実施形態の第３展示部材を正面から見た図である。図２２（ｃ）は、第６実施形態の第３展示部材を背面から見た図である。図２２（ｄ）は、第６実施形態の第３展示部材を左側方から見た図である。図２２（ｅ）は、第６実施形態の第３展示部材を右側方から見た図である。
【図２３】第６実施形態の展示ケースを構成する第３展示部材の分解斜視図である。
【図２４】図２４（ａ）は、第６実施形態の揺動光拡散板を上方から見た斜視図である。図２４（ｂ）は、第６実施形態の揺動光拡散板を下方から見た斜視図である。
【図２５】図２５（ａ）は、第６実施形態のＬＥＤ中継基板を上方から見た斜視図である。図２５（ｂ）は、第６実施形態のＬＥＤ中継基板を下方から見た斜視図である。
【発明を実施するための形態】
【００２３】
次に、本発明の飾り台を含んで構成される飾りケースの実施形態について図を参照して説明する。尚、以下では、フィギュア等の装飾物を展示する展示部（後述する第１設置穴、第２設置穴、ステージ面、発光ステージ面等）を備えており、当該展示部に設置した装飾物をケース内に収納して展示可能な展示ケースに、本発明を適用した例を説明する。また、図１乃至図１３は、本発明の飾りケースを展示ケースに適用した第１実施形態を示す図である。また、図１４は、本発明の飾りケースを展示ケースに適用した第２実施形態を示す図である。第２実施形態の展示ケースは、第１実施形態の展示ケースと一部構成が異なっている。また、図１５乃至図１９は、本発明の飾りケースを展示ケースに適用した第３実施形態を示す図である。第３実施形態の展示ケースは、第１実施形態及び第２実施形態の展示ケースと一部構成が異なっている。また、図２０は、本発明の飾りケースを展示ケースに適用した第４実施形態を示す図である。第４実施形態の展示ケースは、第１実施形態乃至第３実施形態の展示ケースと一部構成が異なっている。また、図２１は、本発明の飾りケースを展示ケースに適用した第５実施形態を示す図である。第５実施形態の展示ケースは、第１実施形態乃至第４実施形態の展示ケースと一部構成が異なっている。
【００２４】
［第１実施形態］
図１（ａ）及び（ｂ）に示すように、第１実施形態の展示ケース１は、床面を形成する展示台４（床部材）と、展示台４と対向する天井面を形成する天井部材５と、床面と天井面との間の展示空間６を取り囲むように設置される前後左右４面（４枚）のアクリル板（周壁板）と、を備え、これら展示台４（床部材）、天井部材５、及び４枚のアクリル板で箱形状に形成される。また、この展示台４（床部材）及び天井部材５を「展示部材」ともいう。
【００２５】
また、図１（ａ）及び（ｂ）に示すように、この展示ケース１内には、所定の取付部材を用いて、展示空間６を２個の展示空間に仕切る（区画する）マジックミラー１０が設けられている。この展示空間６は、手前側（正面側連結部材１２６側）の第１空間７と、奥側（背面側連結部材１２１側）の第２空間８と、に分けられ、この第１空間７と第２空間８との間の隔壁として、マジックミラー１０が設置されている。また、マジックミラー１０は、展示台４のステージ面に対して垂直方向に立設されており、第１空間７及び第２空間は、略同形状の箱型（直方体形状）とされている。
【００２６】
ここで、「マジックミラー」とは、入射した光の一部を反射し、一部を透過させるものある。そしてこの「マジックミラー」を、明るい空間（第１空間７）と暗い空間（第２空間８）との間に設置し、明るい空間側からマジックミラーを見ると、明るい空間側の光の一部が反射する作用により、明るい空間側からみたマジックミラーが鏡面状に見え、暗い空間側が見えない。一方、明るい空間側の光の一部は暗い空間側に透過するため、（半透明ではあるが）暗い空間側から明るい空間側を見ることができる。また、暗い空間側からの光も一部明るい空間側に透過するが、当該透過光は、明るい空間側の反射光に比して光量が非常に少ないため、当該透過光が目に届かない。これにより、明るい空間側からマジックミラーを通して暗い空間側を見るのは非常に困難とされている。一方、暗い空間側に光を照射し、暗空間を明るくした場合には、当該明るくなった空間（第２空間８）側からの透過光が多くなり、当該透過光が目に届くようになる。これにより、第１空間側からマジックミラーの奥側の明るくなった空間（第２空間）内を視認することが可能となる。
【００２７】
また、前述した展示空間６を取り囲む４面のアクリル板として、展示空間６の外部から展示空間６内を視認可能に透明とされる透明アクリル板２（透明アクリル板部、透明部材）と、展示空間６の外部から展示空間６内を視認困難又は視認不能に着色（不透明）される着色アクリル板９（着色アクリル板部、不透明部材）と、を有している。具体的に、展示空間６を取り囲む４面のアクリル板（側壁部）のうち、第２空間８を取り囲む部分（背面側全体、左側面奥側、右側面奥側）は、黒に塗装された着色アクリル板９（着色アクリル板部）によって構成されている（図１３を参照）。また、このような構成に加えて、第２空間８の正面側壁面（第１空間７との隔壁）は、マジックミラー１０で構成され、且つ、展示台４（床部材）及び天井部材５は、少なくとも一部（全部でも可）が不透明部材で構成されている。これにより、第２空間８は、周囲を全て不透明部材及びマジックミラー１０で囲まれており、第２空間８内に光を照射しない限り、内部を視認困難又は視認不能な暗い空間（暗空間、暗室）とされる。
【００２８】
尚、「着色アクリル板（着色アクリル板部）」を、不透明アクリル板（不透明アクリル板部）ともいう。また、本第１実施形態では、左右側面のアクリル板において、夫々１枚のアクリル板の、奥側約半分の領域（少なくとも背面からマジックミラーが位置する箇所まで）を黒色塗装し、残部を透明のままとしている。これに替えて、左右側面のアクリル板を、夫々黒色塗装部（不透明部）と透明部とで、別部材で構成してもよい。すなわち、第１空間７を構成する側壁部と第２空間８を構成する側壁部とで、別部材（別素材）としてもよい（側壁部を構成するマジックミラー１０は共通とする）。
【００２９】
また、展示空間６を取り囲む４面のアクリル板のうち、第１空間７を取り囲む部分（正面側全体、左側面手前側、右側面手前側）は、透明アクリル板２（透明アクリル板部）によって構成されている（図１３を参照）。従って、第１空間７は、床部及び天井部を不透明部材で構成し、背面部をマジックミラー１０で構成し、左右側面部及び正面部を透明部材で構成している。これにより、第１空間７は、この透明アクリル板（透明部材）の箇所から、室内光等の展示ケース１外からの光（外光）を取り込み、内部（内部に展示された装飾物）を明確に（容易に、はっきりと、）視認することが可能となる。一方、第２空間８が暗空間（暗室）とされている状態において、透明アクリル板２及び第１空間７を通して視認されるマジックミラー１０は、第１空間７内の光を反射して鏡面状にみえる。そして、当該鏡面には、第１空間７内に展示される装飾物等が映し出される（図１３（ａ）参照）。ここで、「透明アクリル板（透明部材）」は、当該部材を通して内部を明確に確認可能な素材とされ、無色透明な素材の他、第１空間内部が容易に視認できる程度に着色された有色透明な素材としてもよい。
【００３０】
また、詳しくは後述するが、第２空間８内に光が照射されて、当該第２空間８内が明空間（明るい空間）とされている状態において、マジックミラー１０は、第１空間７側から入射する光を、第２空間８が暗室であったときよりも多く透過する（反射する光が減少する）。そして、第２空間８内に展示される装飾物等を、第１空間７及びマジックミラー１０を通して、容易に（はっきりと）視認可能となる（図１３（ｂ）参照）。尚、図１等において、本来黒色に着色（塗装）されている第２空間８の側壁部（着色アクリル板９）及びマジックミラー１０を、説明の便宜上、第２空間８の内部がみえる透明にして示している。
【００３１】
また、第１実施形態では、展示ケース１の天井面を形成する天井部材５は、４個（複数）の第１展示部材１１を連結して薄型の略箱形状（直方体形状）に形成されている。そして、天井部材５の展示空間側表面（天井面）には、所定の装飾物（後述する電気的装飾物）を展示することが可能なステージ面１７が形成される。従って、第１実施形態における展示ケース１の「天井面」を「ステージ面」ともいう。このステージ面１７上には、第１設置穴１８及び第２設置穴１９が形成されており、この第１設置穴１又は／及び第２設置穴１９を用いる（挿入係止する）ことで、天井面であっても、落下することなく装飾物を展示することが可能となる。尚、ステージ面１７は、第１展示部材１１の夫々が有しており、図１等のように複数の第１展示部材１１を連結して展示台４を構成した場合には、複数の第１展示部材１１のステージ面１７が連なって（連結されて）、ステージ面１７が大きく形成される。すなわち、第１展示部材１１を連結する程、装飾物３を設置可能なステージ面１７を大きく形成することが可能となる。また、複数のステージ面１７を連結し、拡大されたステージ面１７を、「拡張ステージ面」ともいう。
【００３２】
また、ステージ面１７（天井面）は、平面状に形成されており、その面上には複数の設置穴（第１設置穴１８、第２設置穴１９）が設けられている。そして、このステージ面１７（拡張ステージ面）に装飾物を展示する（設置する）態様としては、この設置穴に装飾物の一部を挿入して設置（固定設置）する態様や、この設置穴に装飾物を支持するための支持部材の一部を挿入して当該支持部材で装飾物を支持して設置（支持設置）する態様を挙げることができる。尚、図１（ｂ）に示す天井面に設置される４個の装飾物は、詳細は後述するが、装飾物が有するプラグ８３（「接続端子」ともいう）をステージ面１７の第１設置穴１８（通電固定穴４７）に挿入する態様で設置されている。また、この装飾物は、発光部（光源）を有しているため、「発光装飾物」８１ともいう。また、本第１実施形態の態様では、これら４個の発光装飾物８１は、発光部８４を斜め下方４５度方向に向けて光を照射している。また、第１設置穴１８及び第２設置穴１９を、装飾物を設置可能な「設置部」、「特定設置部」ともいう。
【００３３】
また、本第１実施形態では、後述する電源スイッチ１５２をＯＮにすることで、４個の第１展示部材１１に設置される４個の発光装飾物８１の全てが所定態様で点灯制御される。これにより、第２空間８が暗空間（暗室）の状態において、発光部材（ＬＥＤチップ７４）が発光すると、第１空間７及び第２空間の両空間ともに光が照射され、第２空間８が暗空間から明空間に変化する。
【００３４】
また、詳細は後述するが、第１展示部材１１のステージ面１７に形成される第１設置穴１８の一部又は全部（第１実施形態では一部）は、電力を供給可能な電源ユニット１５１（電力供給部）と通電可能に接続することが可能である。そして、この電源ユニット１５１と接続された第１設置穴１８は通電設置穴（「通電穴」、「通電設置部」ともいう）とされ、この通電設置穴にプラグを挿入して設置した発光装飾物８１は、当該発光装飾物８１が有する発光部８４を発光可能となる。また、第２設置穴１９は、装飾物３や、装飾物３を装飾するためのオプション部材（例えば、後述するマジックミラー１０や、図示しないミラーや、表示装置等）や、装飾物を支持するための支持部材（これらを総じて「装飾物等」ともいう）を固定する（取り付ける）ための設置穴とされている。具体的に、後述するマジックミラー１０を取り付けるためのマジックミラー取付部材５１（単に「取付部材」ともいう）を、第２設置穴１９を利用して取り付けることができる。
【００３５】
また、展示ケース１の床面を形成する展示台４（床部材）は、天井部材５を構成する展示部材（第１展示部材１１）と同じ個数である４個（複数）の第２展示部材６１を連結して薄型の略箱形状（直方体形状）に形成されている。第２展示部材６１からなる展示台４（床部材）の展示空間側表面（床面）には、フィギュア、模型、飾り、置物等の所定の装飾物を設置して展示することが可能な平面状の発光ステージ面７９が形成されている。また、この発光ステージ面７９上に、当該所定の装飾物を載置して展示することが可能である。この発光ステージ面７９は、第２展示部材６１の夫々が有しており、図１のように第２展示部材６１を連結して構成した場合には、複数の第２展示部材６１の発光ステージ面７９が連なって（連結されて）、発光ステージ面７９が大きく形成される。すなわち、第２展示部材６１を連結する程、発光ステージ面７９を大きく形成することが可能となる。複数のステージ面１７を連結した拡大されたステージ面１７を、「拡張ステージ面」ともいう。
【００３６】
尚、本第１実施形態では、展示ケース１を直方体状としているため（立方体状であってもよい）、展示台４の発光ステージ面の表面積と、天井部材５のステージ面の表面積とは、略同じ大きさとされている。また、第１展示部材１１と第２展示部材６１とは外形サイズが略同じサイズとされているため、展示台４（床部材）を構成するために連結する第２展示部材６１の個数と、天井部材５を構成するために連結する第１展示部材１１の個数と、は同じ個数とされる。これにより、展示ケース１を直方体状又は立方体状の箱形状とすることが可能となる。
【００３７】
また、詳細は後述するが、展示台４（床部材）を構成する第２展示部材６１の内部には発光部材（ＬＥＤチップ７４）が設けられ、当該発光部材（ＬＥＤチップ７４）は電力を供給可能な電源ユニット１５１（電力供給部）と通電可能に接続されている。そして、発光部材（ＬＥＤチップ７４）が所定態様で点灯すると、当該発光部材の光が、光透過性（透光性）の材料（素材）（例えば、ポリカーボネート、ＡＢＳ樹脂等）で形成された発光ステージ部材６２の発光ステージ面７９を介して（透過して）、展示空間６（第１空間７及び第２空間８）に照射される。また、本第１実施形態では、後述する電源スイッチ１５２をＯＮにすることで、４個の第２展示部材６１の発光部材全てが所定態様で点灯制御される。これにより、第２空間８が暗空間（暗室）の状態において、発光部材（ＬＥＤチップ７４）が発光すると、第１空間７及び第２空間の両空間ともに光が照射され、第２空間８が暗空間から明空間に変化する。
【００３８】
従って、この発光ステージ面７９を「発光部」ともいう。これにより、展示ケース１（第１空間７及び／又は第２空間８）内の所定箇所に展示され、展示空間６（第１空間７及び／又は第２空間８）内に存在する装飾物３を、天井部材５に設置された発光装飾物８１、及び／又は、展示台４の発光部（発光部材）によって様々な角度、位置から照射する。これにより、第１空間７が明空間で第２空間８が暗空間の状態から、第１空間７及び第２空間８の両空間が明空間の状態に変化させ、装飾物３や展示ケース１の装飾態様を変化させることが可能となる。尚、前述した第１展示部材１１及び第２展示部材６１を、装飾物を設置可能な「設置部材」ともいう。また、特に、第２展示部材６１を、装飾物を設置可能な設置部（発光ステージ面）を照射（光らせることが）可能な発光部を有する「発光設置部材」ともいう。
【００３９】
ここで、本第１実施形態では、発光ステージ部材６２を光透過性の材料で形成するものとしたが、より具体的には、透明のポリカーボネート（ＰＣ）で形成している。また、第２展示部材６１の光拡散板６３及び仕切りフレーム６４も同様に、透明のポリカーボネート（ＰＣ）で形成している。尚、これら発光ステージ部材６２、光拡散板６３及び仕切りフレーム６４は、ＬＥＤ中継基板６５に実装されるＬＥＤチップ７４の光を発光ステージ面７９から外方（展示空間６）に照射できれば足りるため、材料は透明のポリカーボネート（ＰＣ）に限定されない。例えば、所定色に着色した透過性の材料で形成してもよい。また、ハウジング６６はＡＢＳ樹脂で形成している。
【００４０】
また、第１展示部材１１は、ステージ部材１２をポリカーボネート（ＰＣ）で形成し、ハウジング１４及び通電ジャック１５はＡＢＳ樹脂で形成している。また、後述する連結部材は、背面側連結部材１２１、正面側連結部材１２６、側方側連結部材１３１、１３５をポリカーボネート（ＰＣ）で形成し、底部連結部材１３９をＡＢＳ樹脂で形成している。これは、展示物（展示ケース１）を見る者の目に触れる可能性が高い部材は表面を比較的綺麗に成型可能なポリカーボネートで形成し、目に触れる可能性が低い部分は安価なＡＢＳ樹脂で形成している。然しながら、各部品を形成する材料はこのような態様に限らず、全てＡＢＳ樹脂で形成してもよいし、全てポリカーボネートで形成してもよいし、他の材料で形成してもよい。
【００４１】
次に、図２、図３及び図６に基づいて、展示ケース１の天井部材５を構成する第１展示部材１１について説明する。図２に示すように、第１展示部材１１は、装飾物３を設置可能（展示可能な）なステージ面１７を有するステージ部材１２と、ステージ部材１２と組合わされて箱形状の箱体を構成するハウジング１４と、当該箱体の内部空間（収納空間）に設置される中継基板１３と、ステージ面１７上の所定の装飾物設置穴（第１設置穴１８）を電源ユニット１５１と電気的に接続可能にする通電ジャック１５と、を少なくとも含んで構成されている。そして、所定の通電ジャック１５及び中継基板１３を所定の配線（電気配線）で接続すると共に、これら、ステージ部材１２、複数個（４個）の通電ジャック１５、中継基板１３、及び、ハウジング１４を、所定の位置で嵌め合わせ、４個のビス１６で固定することで、第１展示部材１１を構成している。
【００４２】
ステージ部材１２は、図２に示すように、ステージ面１７と対向する側が開口した凹状の箱形状に形成されている。また、ステージ面１７（図示上面）は１辺が１００ｍｍの正方形状とされ、その表面（図２の図示上方側面）は略平面状とされている。尚、第１展示部材１１（第２展示部材６１も同様）の厚みは、およそ２５ｍｍ程度とされている。また、ステージ部材１２には、ステージ面１７の裏面側空間を取り囲むように、ステージ面１７と垂直方向に周壁部３７が設けられている。そして、ステージ面１７の角部であって、周壁部３７の四隅には、第１展示部材１１の各パーツを固定するための固定部３８が設けられている。各固定部３８には、ビス１６を挿入する固定穴３９が設けられている。
【００４３】
また、ステージ面１７上には、装飾物等を固定して設置するための設置穴（第１設置穴１８、第２設置穴１９）が複数設けられている。ここで、図２においてステージ面１７に示す領域Ｐの拡大図を図６に示す。図６に示すように、第１設置穴１８は、直径５．２ｍｍの円形状に形成されており、この第１設置穴１８には、ステージ面１７（ステージ部材１２）の裏面側（図示下方側）から、通電ジャック１５又は非通電ジャック１０１の先端部４８、１０３が挿入される。通電ジャック１５の先端部４８（非通電ジャック１０１も同様）は、第１設置穴１８に挿入して嵌合するように、外径が５．０ｍｍの円筒形状とされている。また、通電ジャック１５の本体部内部には、先端部から下端部まで直径３．６ｍｍの円筒形状の通電固定穴４７が貫通して形成されている。
【００４４】
これにより、装飾物等が有する突起部（例えば、プラグ８７等）を、ステージ部材１２の裏面側（第１展示部材１１の内部空間側）に設置された通電ジャック１５の通電固定穴４７に対して、ステージ面１７側（ステージ部材１２の図示上方側）から挿入し、当該装飾物等をステージ面１７上（展示空間６内）に固定・設置することを可能とする。尚、この第１設置穴１８は、ステージ面１７の四隅に１箇所ずつ、合計４個形成されている。尚、本第１実施形態ではステージ面１７上に形成する第１設置穴１８の数を４個としたが、３個以下としても、５個以上としても何個でもよい。第２設置穴１９についても同様である。
【００４５】
また、第２設置穴１９は、図６に示すように、１辺が２．２５ｍｍで、長い方の対角線が４．５ｍｍの六角形状（正六角形状）に形成されている。第２設置穴１９は、第１設置穴１８のように通電ジャック等を嵌合することなく、直接装飾物等の突起部（例えば、図６（ｄ）の支持部材のステージ側挿入突起１１３等）を挿入して固定する。従って、第２設置穴１９の固定穴の深さは、第１設置穴１８の固定に際して挿入する通電固定穴４７よりも浅く形成されている。このため、穴形状を断面が六角形の六角柱状の穴形状とし、当該固定穴に突起部を挿入した際の、当該突起部を挟み込む圧力を強め、突起部（ステージ側挿入突起１１３等）を強く固定することを可能としている。尚、第１実施形態では、第２設置穴１９の穴形状を六角形状としたが、多角形状であればよい。
【００４６】
また、図３に示すように、ステージ部材１２の裏面側（第１展示部材１１の内部空間側）の第１設置穴１８に対応する位置には、通電ジャック１５（又は、非通電ジャック１０１）を嵌合して固定するための、角筒状のジャック嵌合部４０が４箇所設けられている。ジャック嵌合部４０の通電ジャック嵌合部は、通電ジャック１５の直方体状の本体部４５が挿入可能なように（嵌合する）通電ジャック１５の外形よりも若干大きい直方体形状とされている。また、同じくステージ部材１２の裏面側には、ステージ部材１２の変形等を防ぎ、補強するための十字状の補強リブ４３が立設して形成されている。また、この補強リブ４３の所定箇所には、第２設置穴１９が延設して一体的に形成されており、この補強リブ４３により第２設置穴１９も補強している。また、ステージ部材１２の裏面側には、中継基板１３を第１展示部材１１の内部空間内の所定位置に位置決めして固定するための、固定突起４１が４箇所設けられている。また固定突起４１の先端には突部４２が設けられ、この突部４２が中継基板１３の貫通穴２３に挿入されて、位置決め固定される。
【００４７】
また、通電ジャック１５は、図２及び図６に示すように、角筒状の本体部４５と、本体部４５の一方側端部に設けられる円筒状の先端部４８と、４個の接続端子４６と、係合突起５０とを含んで構成されている。また、通電ジャック１５の内部には、先端部側の一方側端部から本体部側の他方側端部まで貫通する円筒状の通電固定穴４７が形成されている。そして、この通電固定穴４７の内側の所定位置には、４個の接続端子が夫々配置されている。つまり、４個の接続端子は、夫々、一部を通電固定穴４７の内部に通電可能に露出すると共に、通電ジャック１５の本体部４５の外方にも延出して（露出して）設けられている。これにより、通電固定穴４７に通電プラグ（プラグ８３）を挿入するだけで、当該挿入した通電プラグ（プラグ８３）と、通電ジャック１５の接続端子４６と、を通電可能に接続することを可能にしている。
【００４８】
尚、第１実施形態では、この通電ジャック１５の通電固定穴４７に挿入するプラグとして、４極プラグ（４個の通電部を有する通電プラグ）を採用しており、通電固定穴４７内部に位置する４極の接続端子４６の夫々が、これら４極プラグの４個の通電部と夫々接続可能となっている。一方、本体部４５から外方に延出する（突出する）４個（４極）の接続端子４６は、後述する第１配線１５３（ジャック接続配線）のコネクタ１５５（４極コネクタ）に嵌挿され、夫々通電可能に接続される。また、係合突起５０はコネクタ１５５の係合凹部に嵌挿され、これにより、通電ジャック１５とコネクタ１５５との結合強度を高めることが可能となる。
【００４９】
また、通電ジャック１５の通電固定穴４７には、図７に示す発光装飾物８１や発光装飾物８５等に例示される電気的駆動部（ＬＥＤ、モータ、ソレノイド、スピーカ等）を有する装飾物（「電気的装飾物」ともいう）のプラグ（プラグ部）が挿入される。図７に示すように、発光装飾物８１及び発光装飾物８５のプラグ８３、８７として、４極プラグを採用しており、このプラグ８３、８７を通電固定穴４７に挿入することで、４極プラグの夫々の通電部（電極）が、通電ジャック１５の通電固定穴４７の内部に設けられた４極の接続端子４６（電極）の夫々と通電可能に接続される。
【００５０】
ここで、通電ジャック１５を、第１配線１５３（ジャック接続配線）、中継基板１３、第３配線１５９（電源ケーブル）等を介して電源ユニット１５１に接続し、この通電ジャック１５の通電固定穴４７に挿入される電気的装飾物に対して電力を供給可能とした場合において、この通電固定穴４７を「通電穴」や「通電設置部」ということもある。また、第１設置穴１８及び通電固定穴４７を、夫々又は総じて「通電穴」や「通電設置部」ということもある。
【００５１】
ここで、本第１実施形態では、図６（ｃ）に示すように、外形形状及びプラグを挿入する貫通状の固定穴の形状が、前述した通電ジャック１５と略同じで、ステージ部材１２のジャック嵌合部４０に嵌合可能な非通電ジャック１０１を備えている。ジャック嵌合部４０の全てに電源ユニット１５１と接続可能な通電ジャック１５を設置しておき、「通電穴（通電設置部）」として設定したい通電ジャック１５の接続端子４６にのみ第１配線１５３を接続して、他の通電ジャック１５の接続端子４６には第１配線１５３を接続しないといった接続態様としてもよい（例えば、図５に示す態様）。
【００５２】
また、このような接続態様に替えて、第１配線１５３を接続しない、すなわち、第１設置穴１８を「通電穴（通電設置部）」として設定しない箇所（ジャック嵌合部４０）には、接続端子４６を有していない非通電ジャック１０１を設置してもよい（例えば、図１３に示す態様）。これにより、コストを低減しつつ、第１設置穴１８（非通電固定穴１０４）を装飾物等の固定穴として用いることが可能となる。もちろん、発光部は発光しないが、非通電固定穴１０４に対して、発光装飾物８１、８５のプラグ８３、８７を挿入し、非発光の装飾物として設置し、飾ることが可能である。この非通電固定穴１０４を、「非通電穴」や「非通電設置部」ということもある。また、第１設置穴１８及び非通電固定穴１０４を、夫々又は総じて「非通電穴」や「非通電設置部」ということもある。
【００５３】
また、本第１実施形態では、装飾物（発光装飾物）として、図７（ａ）及び（ｂ）に示すタイプの発光装飾物８１と、図７（ｃ）及び（ｄ）に示すタイプの発光装飾物８５と、を例示しているが、通電ジャック１５の通電固定穴４７に挿入可能な４極プラグ（３．５ｍｍプラグ）を備えていれば、他のタイプの電気的装飾物を飾る（展示する）ことも可能である。例えば、通電穴に設置可能なプラグを有する電気的装飾物として、発光部の高さが異なる発光装飾物を設けてもよい。また、ひも状の電気配線の一方側にプラグ、他方側に発光部を備え電気配線の届く範囲内の任意の箇所に発光部を設置可能な発光装飾物を設けてもよい。このように、通電穴に設置可能なプラグさえ有していれば、多様な形状の電気的装飾物を設置可能であり、展示ケース１に展示する装飾物の大きさや、形状、世界観に合わせて、多様な装飾態様（発光態様）を容易に選択、設定することが可能となる。
【００５４】
また、図７（ａ）及び（ｂ）に示す発光装飾物８１は、１灯のスポットライト形状の装飾物とされている。この発光装飾物８１の本体部８２の一方側端部に第１設置穴１８（通電固定穴４７又は非通電固定穴１０４）に挿入可能な棒状のプラグ８３（「挿入部」ともいう）を備え、他方側端部に１個の発光部８４を備えている。このプラグ８３は断面が円形状とされ、その太い部分の直径が３．５ｍｍとされている。
【００５５】
本体部８２内部には発光部から光を照射するφ５ｍｍのＬＥＤ（光源）を備えており、このＬＥＤが、プラグ８３、通電ジャック１５の接続端子４６、中継基板１３等を介して、電源ユニット１５１と通電可能に接続されることで、所定の点灯態様（点灯パターン、発光色）で発光可能となる。そして、この発光装飾物８１を所定の点灯態様で発光することで、ステージ面１７の他の位置に展示される装飾物３を照射し、装飾効果を高めることが可能となる。また、この発光装飾物８１は、通電固定穴４７に挿入した状態で、プラグ８３を回転軸として（ステージ面１７と平行面上を）自在に（３６０度）回転可能とされており、どの回転位置においても、発光可能とされている。これにより、装飾物３をステージ面や展示空間６のどの位置に展示しても、効果的に光を照射し、装飾性を高めることが可能となる。また、発光装飾物８１の先端部（発光部）を側面に「Ｆ」の文字が書かれた円筒部内部には図示しない回動軸を有している。そして、図７に示すように、当該回動軸を軸として、上下方向に（ステージ面１７と垂直面上を）９０度の回動範囲内で回動可能な構造とされている。尚、図７（ａ）及び（ｃ）は、何れも上下方向に４５度回動させた状態を示している（本第１実施形態では、この状態で天井面の通電固定穴に設置されている）。これにより、左右方向、上下方向のあらゆる位置に対して効果的に光を照射し、装飾性を高めることが可能となる。
【００５６】
また、図７（ｃ）及び（ｄ）に示す発光装飾物８５は、３灯のスポットライト形状の装飾物とされている。この発光装飾物８５の本体部８６の一方側端部に第１設置穴１８（通電固定穴４７又は非通電固定穴１０４）に挿入可能な棒状のプラグ８７（「挿入部」ともいう）を備え、他方側端部に３個（複数個）の発光部８８を備えている。また、本体部８６内部には３個の発光部８８から光を照射するφ５ｍｍのＬＥＤ（光源）を、夫々の発光部８８に対応して少なくとも３個備えており、このＬＥＤが、プラグ８７、通電ジャック１５の接続端子４６、中継基板１３等を介して、電源ユニット１５１と通電可能に接続されることで、所定の点灯態様（点灯パターン、発光色）で発光可能となる。尚、３個の発光部８８から異なる発光色の光を照射してもよいし、同じ色の光を照射してもよい。
【００５７】
そして、この発光装飾物８５を所定の点灯態様で発光することで、発光装飾物８１と同様に、ステージ面１７の他の位置に展示される装飾物３を照射し、装飾効果を高めることが可能となる。また、発光装飾物８５は、発光装飾物８１と同様に、プラグ８７を回転軸として左右方向に自在に（３６０度）回転可能とされると共に、回動軸９０を軸として上下方向に９０度の回動範囲内で自在に回動可能な構造とされている。ここで「装飾物」には、それ自体が装飾となるものや、他の装飾物を装飾するものの両方を含むものとする。
【００５８】
また、第１展示部材１１の中継基板１３（「中継部」ともいう）は、図２、図３及び図５等に示すように、略四角形の平板状に形成されており、第１展示部材１１の内部空間の所定位置に位置決めして、設置されている。中継基板１３の平板状の平面（配線パターン設置面）には、表裏に貫通する４個の貫通穴２３が設けられている。また、中継基板１３の平面の一方側面には、６個のコネクタ（通電コネクタ）が設置されている。具体的には、通電ジャック１５と通電可能に接続可能な第１コネクタ２０（「接続端子」ともいう）を４個と、電源ユニット１５１及び他の中継基板１３の何れか一方と通電可能に接続可能な第２コネクタ２１（「接続端子」ともいう）を１個と、他の中継基板１３と通電可能に接続可能な第３コネクタ２２（「接続端子」ともいう）を１個の計６個のコネクタを備えている。尚、通電ジャック１５と接続可能な第１コネクタ２０の数は、通電穴に設定可能な第１設置穴１８の数と同じ４個とされている。すなわち、第１展示部材１１が有する全ての第１設置穴１８を同時に通電穴に設定することが可能である。但し、このような態様に限定されず、他の態様として、中継基板１３に第１コネクタ２０を、第１設置穴１８の数よりも多い数設けてもよいし、逆に第１設置穴１８の数よりも少ない数設けてもよい。
【００５９】
また、この６個のコネクタのうち所定のコネクタを、電源ユニット１５１及び所定の通電ジャック１５に接続することで、第１設置穴１８（通電固定穴４７）を「通電穴」とすることが可能となる。また、所定のコネクタ（第３コネクタ２２）を、連結する他の第１展示部材１１の中継基板１３の所定のコネクタ（第２コネクタ２１）に接続することで、他の中継基板１３（他の第１展示部材１１の第１設置穴１８に設置される発光装飾物）に対しても、電源ユニット１５１からの電力を供給することが可能となる（図５等を参照）。
【００６０】
また、中継基板１３は、内部空間において、コネクタ設置面をハウジング１４側（図２の図示下方）に向けて設置される。そして、ステージ部材１２の固定突起４１の突部４２が、コネクタ非設置面側から貫通穴２３に挿入され、ハウジング１４のハウジング側固定突起２６が、コネクタ設置面側から貫通穴２３に挿入される。また、これらは夫々４個ずつ設けられているので、夫々が対応する位置で挿入される。そして、ステージ部材１２とハウジング１４とを嵌合して閉じると、ステージ部材１２の固定突起４１の突部４２が、貫通穴２３を介して、ハウジング１４のハウジング側固定突起２６の位置決め穴２５に挿入され、結合される。これにより、中継基板１３は第１展示部材１１の内部空間の所定位置にしっかり位置決め固定され、展示ケース１に振動等を加えても、中継基板１３の設置位置がずれることがない。
【００６１】
また、ハウジング１４は、図２に示すように、内側底面３２と対向する側が開口した凹状の箱形状に形成されており、その外形辺（外側周壁部３１の上端辺）は１辺が１００ｍｍの略正方形状とされる。また、ハウジング１４の内側底面３２の周縁部から、内側底面３２と垂直方向に、当該内側底面３２上の空間を取り囲むように、内側周壁部２９が所定高さで立設されている。そして、内側周壁部２９の上端部から内側底面３２と平行方向であって、外方に向けて鍔部３０が所定幅延設されている。そして鍔部３０の端部から、内側底面３２と垂直方向に（内側周壁部２９と平行方向に）、当該内側底面３２上の空間を取り囲むように、外側周壁部３１が所定高さで立設されている。また、これら内側周壁部２９、鍔部３０、外側周壁部３１により、段部が形成される。
【００６２】
また、外側周壁部３１の角部の四隅には、ステージ部材１２の固定部３８及びビス１６を挿入可能な係合穴２８が設けられている。そして、ステージ部材１２とハウジング１４とを嵌合して第１展示部材１１を構成するに際して、係合穴２８の一方側からステージ部材１２の固定部３８を挿入し、係合穴２８の他方側からビス１６を挿入すると共に、当該ビス１６を固定部３８の固定穴３９に挿入することで、ビス１６により、ステージ部材１２及びハウジング１４を係合固定させる。これにより、第１展示部材１１を構成する。
【００６３】
また、図３（ｂ）に示すように、ハウジング１４の裏面側（外側底面側）であって、鍔部３０の外側底面には、他の第１展示部材１１（又は、第２展示部材６１）を連結するための、多数（複数）の連結穴３４が設けられている。また、四角形状の第１展示部材１１の４辺のうち、どの辺側にも連結可能なように、４辺の鍔部３０の外側底面の夫々に、４個ずつの連結穴３４が設けられている。また、内側周壁部２９の角部の四隅には、ジャック固定部３６が設けられている。そして、このジャック固定部３６の先端部により、ジャック嵌合部４０に嵌合された通電ジャック１５又は非通電ジャック１０１の下端部（先端部４８の反対側端部）を押さえている。これにより、ジャック嵌合部４０に嵌合される通電ジャック１５又は非通電ジャック１０１がガタついたり、位置ズレしたりするのを極力防止することが可能となる。
【００６４】
また、外側周壁部３１の各辺の略中央位置には上端から所定の深さで切り欠いた切欠部が形成されている。この切欠部は、他の第１展示部材１１又は第２展示部材６１と連結する場合や、電源ユニット１５１と接続する場合に、所定の配線を引き出す（引き入れる）ための配線穴２７とされている。また、第１展示部材１１の４辺のうち、どの辺側にも第１展示部材１１や第２展示部材６１を連結可能なように、４辺の外側周壁部３１の夫々に配線穴２７を設けている。また、内側底面３２から立設するハウジング側固定突起２６は、前述した通り、中継基板１３を所定位置に位置決め固定するためのものである。
【００６５】
以上説明したように、通電ジャック１５（又は非通電ジャック１０１）、中継基板１３及び電源ユニット１５１を所定の態様で電気的に接続すると共に、ステージ部材１２及びハウジング１４の内部空間の所定位置に収納、設置し、ステージ部材１２及びハウジング１４をビス１６で係合固定することで、第１展示部材１１を構成している。これにより、複数（４箇所）設けられた第１設置穴１８のうち、任意（０〜４個）の第１設置穴１８を「通電穴（通電設置穴）」として設定することが可能となる。また、第１展示部材１１を複数（例えば、４個）連結した場合には、当該連結された第１展示部材１１が有する複数（例えば、１６個）の第１設置穴１８のうち、任意（０〜１６個）の第１設置穴１８を「通電穴（通電設置穴）」として設定することが可能となる（図３を参照）。
【００６６】
尚、第１展示部材１１を複数（例えば、４個）連結した場合において、全ての第１設置穴１８（例えば、１６個）を通電穴に設定して、発光装飾物８１を設置して発光させてもよい。然しながら、発光装飾物８１の数が多いほど装飾性が高まるわけではなく、適度な数だけ設置する方が、全体として装飾性が高い場合もある。また、多数（例えば、２０個）の第１展示部材１１を連結して、全ての第１設置穴１８（８０個）に発光装飾物８１を設置して発光させた場合には、電源ユニット１５１の電気容量が不足し、光量不足となる虞もある。これらを考慮して、通電ジャック１５を付属させることで（例えば、４個を推奨）、発光装飾物８１の発光部の照射態様が光量不足となるのを極力防止することが可能となる。
【００６７】
また、発光装飾物８１の設置個数を制限するとしても、設置位置は制限されないので、連結した第１展示部材１１の第１設置穴１８のうち、任意の設置穴を通電穴に設定することが可能となる。図２に示すように、本第１実施形態では、４個の第１展示部材１１を正方形状となるように連結し、連結したステージ面１７（拡張ステージ面）の角部に位置する四隅の第１設置穴１８を通電穴に設定している。もちろん、通電穴の設定位置はこれに限らず、任意の第１設置穴１８を通電穴に設定することが可能である。通電穴として設定する第１設置穴１８の位置や個数は、展示台４（飾り台）の発光ステージ面７９や、天井部材５のステージ面１７（拡張ステージ面）や、展示空間６に展示される（飾られる）他の装飾物等の設置位置（展示位置）や、大きさ、形状等との兼ね合いで、選択し、設定することが可能である。また、連結する第１展示部材１１（又は第２展示部材６１）の個数や連結態様（長方形状、正方形状、階段状、山形状、三角状等）も任意に設定することが可能である。
【００６８】
次に、図４を用いて、天井部材５の連結構造について説明する。本第１実施形態では、４個の第１展示部材１１を正方形状（２行２列）となるように、縦横同数（２個ずつ）配置して、天井部材５を構成している。図４に示すように、この４個の第１展示部材１１を連結するための連結部材として、４種類、８個の連結部材を備えている。具体的には、展示台４の正面側となる２個の第１展示部材１１の側面（正面側側面）を被覆して連結する正面側連結部材１２６と、展示台４の背面側となる２個の第１展示部材１１の側面（背面側側面）を被覆して連結する背面側連結部材１２１と、展示台４の左右側方側となる２個の第１展示部材１１の側面（側方側側面）を被覆して連結する側方側連結部材１３１、１３５を２個と、展示台４を底面側から連結する底部連結部材１３９を４個と、を備えている。
【００６９】
そして、各連結部材１２１、１２６、１３１、１３５、１３９の連結穴１２５、１２９、１３４、１３８、１４０を、第１展示部材１１の底面側に設けた連結穴３４に夫々合わせ、各連結部材と複数の第１展示部材１１とを、図示しない所定のビスにより固定する。尚、ビスは図４の図示下方から上方に向けて連結部材の連結穴及び第１展示部材１１の連結穴に挿入し、ねじ込み固定する。これにより、図１（ｂ）に示すように、複数（４個）の第１展示部材１１が連結部材によって連結されて、拡張ステージ面が形成された天井部材５が構成される。また、連結部材は、複数の第１展示部材１１を連結した場合に生じる展示部材同士の繋ぎ目を被覆する化粧カバーの役割も果たしており、このことから連結部材１２１、１２６、１３１、１３５、１３９を「カバー部材」や「被覆部材」ともいう。尚、複数の第１展示部材１１（又は第２展示部材６１）を連結した展示部材（天井部材５又は展示台４）を「拡張展示部材（拡張天井部材又は拡張展示台）」ともいう。
【００７０】
また、図４に示すように、正面側連結部材１２６は、連結される第１展示部材１１の側面と略平行方向に立設する周壁部１２７と、周壁部１２７の下部から当該周壁部１２７と垂直方向に延設され、第１展示部材１１と連結するための複数（８個）の連結穴１２９が形成された底面部１２８と、を備えている。また、正面側連結部材１２６は、展示ケース１を設置した際の正面側（展示ケース１及び展示された装飾物等を見る頻度の高い側）に位置する連結部材であるため、正面側から見た際の意匠性、装飾性を高めるため、天井部材５の正面側側面全体を被覆するのに加え、天井部材５の左右側面側に折り曲げて形成し、当該左右側面側の一部を被覆するように、コの字状に形成されている。これにより、天井部材５の正面側角部において、連結部材同士の接点が生じ、当該接点のズレ等によって意匠性、装飾性が低下するのを防ぐことが可能となる。また、連結部材をコの字状に形成したことで、連結の強度を高くし、複数の第１展示部材１１を連結した天井部材５の連結が外れてしまうのを極力防止することが可能となる。
【００７１】
また、背面側連結部材１２１は、周壁部１２２と、複数（８個）の連結穴１２５が形成された底面部１２３と、を備え、前述した正面側連結部材１２６と外形が略同様のコの字状に形成されている。また、背面側連結部材１２１は、天井部材５を設置した際の背面側（後面側）に位置し、第１展示部材１１の内部に設置される中継基板１３と電源ユニット１５１とを接続する第３配線１５９（電源ケーブル）が挿通する配線穴１２４が形成されている。尚、背面側連結部材１２１の周壁部１２２に形成される配線穴１２４は、当該背面側連結部材１２１によって連結する第１展示部材１１の個数に合わせて２箇所とされている。
【００７２】
また、図４及び図５に示すように、背面側連結部材１２１の配線穴１２４は、第１展示部材１１の配線穴２７と対向する位置に夫々形成される。そして、一端側を中継基板１３の第２コネクタ２１に接続した第３配線１５９は、第１展示部材１１の配線穴２７、及び、背面側連結部材１２１の配線穴１２４に挿通されて天井部材５の外方に延出し、他端側を電源ユニット１５１に接続する。これにより、電源ユニット１５１と天井部材５（第１展示部材１１、中継基板１３、通電ジャック１５、発光装飾物８１等）とが通電可能に接続され、電源ユニット１５１に設けられた電源スイッチ１５２をＯＮにすることで、任意の通電穴に挿入、設置された発光装飾物を発光することが可能となる（図５参照）。
【００７３】
また、前述した正面側連結部材１２６を手前側にして展示ケース１を設置した際に、天井部材５の左側側面を連結する側方側連結部材１３１（一側方連結部材）と、右側側面を連結する側方側連結部材１３５とは、同じ形状とされており、第１展示部材１１同士の側方側の繋ぎ目を被覆して連結している。また、側方側連結部材１３１、１３５は、周壁部１３２と、複数（６個）の連結穴が形成され、周壁部１３２、１３６の下部から周壁部１３２、１３６と垂直方向に延設される底面部１３３、１３７と、を備え、断面Ｌ字状に形成されている。また、底部連結部材１３９は、複数（４個）の連結穴が形成され、長方形平板状に形成されている。この底部連結部材１３９は、天井部材５の外側面（ステージ面１７と反対側の面）において、隣り合う２個の第１展示部材１１を連結するものであり、第１実施形態のように、４個の第１展示部材１１を連結する場合には、４個の底部連結部材１３９を用いて強固に連結している。
【００７４】
ここで、図５等に示す電源ユニット１５１は、第１展示部材１１の中継基板１３と接続され、中継基板１３及び中継基板１３に接続される通電ジャック１５等を介して、通電穴に設置される電気的装飾物（発光装飾物８１等）に対して電力を供給するものである。また、後述する第２展示部材６１のＬＥＤ中継基板６５と接続され、当該ＬＥＤ中継基板６５に実装されるＬＥＤチップ７４（光源）に対して電力を供給するものである。すなわち、電源ユニット１５１は、電力を供給する「電力供給部」として機能する。この電源ユニット１５１の内部には、所定量の電気（電力）を蓄積可能な二次電池（蓄電池）が内蔵されており、電源ユニット１５１の所定箇所に所定の充電用ケーブルを接続して、当該二次電池を充電することが可能となっている。そして充電された二次電池により電源ユニット１５１に接続された電気部品等に電力を供給する。尚、電源スイッチ１５２をＯＮ側に押圧すると、電力供給可能な状態とされ、ＯＦＦ側に押圧すると電力供給が遮断される。
【００７５】
次に、図８に示すように、天井部材５を構成する複数の第１展示部材１１と、これら複数の第１展示部材１１を連結し、外周側面部を被覆する連結部材１２１、１２６、１３１、１３５との間には、展示ケース１の側面部を覆う長方形平板状のアクリル板２を挿入して固定するための、挿入溝１４１が形成されている。また、後述するように、展示台４（床部材）においても、同様の構成である（図１２を参照）。尚、図８（ａ）は展示ケース１を正面側から見た図であり、図８（ｂ）は、展示ケース１を図８（ａ）の二点鎖線で示すＡ−Ａ断面を示す図である。尚、発光装飾物８１のプラグ８３は第１設置穴１８に嵌合される通電ジャック１５の通電固定穴４７に対して、図８（ｂ）に示すように挿入されることで、プラグ８３と通電ジャック１５の接続端子４６とが通電可能に接続されている。
【００７６】
また、図１２に示す展示台４の挿入溝１４１と同様に、天井部材５にも、連結された第１展示部材１１の外周４辺に沿って、挿入溝１４１が形成されており、４枚のアクリル板２が、当該４辺の挿入溝１４１に夫々挿入されることで、固定される。尚、図８に示すように、挿入溝１４１は、展示台４（床部材）及び天井部材５の両方に、同形状で形成されており、アクリル板２の下端部を展示台４の挿入溝１４１に挿入し、アクリル板２の上端部を天井部材５の挿入溝１４１に挿入することで、４枚のアクリル板２と、展示台４と、天井部材５とを固定することが可能となる。これにより、４枚の透明アクリル板２で、展示台４の発光ステージ面７９上の展示空間６（第１空間７及び第２空間８）の四方全てを取り囲み、展示ケース１を構成している。
【００７７】
次に、図５を用いて、複数個（４個）の第１展示部材１１を連結して構成した天井部材５の配線構造について説明する。図５では、説明の便宜上、４個の第１展示部材１１を夫々第１展示部材［Ａ］、第１展示部材［Ｂ］、第１展示部材［Ｃ］、第１展示部材［Ｄ］として説明する（図５（ａ）に示す通り）。図５（ａ）は、天井部材５の連結部材及びハウジング１４を取り外した状態で、ステージ部材１２、中継基板１３、通電ジャック１５、配線、電源ユニット１５１等をハウジング１４側から見た図を示している。
【００７８】
本第１実施形態では、天井部材５を構成する全ての第１展示部材１１に中継基板１３を設け、そのうち、１個の中継基板１３だけを電源ユニット１５１と直接接続し、他の中継基板１３には、電源ユニット１５１を直接接続した中継基板１３を介して電源ユニット１５１と通電可能に接続し、電力を供給するものとする。また、図５（ａ）に示すように、各ステージ部材１２には夫々４個のジャック嵌合部４０が設けられており、全て（１６箇所）のジャック嵌合部４０に通電ジャック１５が嵌合設置されている。そして、これら１６箇所の通電ジャック１５から任意に選択した４箇所の通電ジャック１５を電源ユニット１５１と通電可能に接続するものとする。この４箇所は、各ステージ部材１２に１箇所ずつ設けられている。
【００７９】
まず、第１展示部材［Ａ］の第２コネクタ２１と電源ユニット１５１のコネクタとを、電源ケーブル（第３配線１５９）のコネクタ１６０、１６１によって接続する。また、第１展示部材［Ａ］の第３コネクタ２２は、拡張配線（第２配線１５６）のコネクタ１５７、１５８によって、第１展示部材［Ｂ］の第２コネクタ２１と接続される。また、第１展示部材［Ｂ］の第３コネクタ２２は、拡張配線（第２配線１５６）のコネクタ１５７、１５８によって、第１展示部材［Ｃ］の第２コネクタ２１と接続される。また、第１展示部材［Ｃ］の第３コネクタ２２は、拡張配線（第２配線１５６）のコネクタ１５７、１５８によって、第１展示部材［Ｄ］の第２コネクタ２１と接続される。尚、第１展示部材［Ｄ］の第３コネクタ２２は空コネクタ（空端子）とされる。この様に、第１展示部材［Ａ］乃至［Ｄ］の中継基板は、この順で接続されることで、各中継基板に電力が供給される。尚、拡張配線１５６により、所定の中継基板１３と他の中継基板１３とを接続する際には、当該拡張配線１５６をハウジング１４の配線穴２７を挿通して接続するものとする。これにより電気配線が天井部材５（展示ケース１）の外部に必要以上に露出せず、意匠性、装飾性が低下するのを防止することが可能となる。
【００８０】
また、第１展示部材［Ａ］の第１コネクタ２０と拡張天井部材の角部に位置する通電ジャック１５の接続端子４６とを、ジャック接続配線（第１配線１５３）のコネクタ１５４、１５５によって接続する。また、第１展示部材［Ｂ］の第１コネクタ２０と拡張天井部材の角部に位置する通電ジャック１５の接続端子４６とを、ジャック接続配線（第１配線１５３）のコネクタ１５４、１５５によって接続する。また、第１展示部材［Ｃ］の第１コネクタ２０と拡張天井部材の角部に位置する通電ジャック１５の接続端子４６とを、ジャック接続配線（第１配線１５３）のコネクタ１５４、１５５によって接続する。また、第１展示部材［Ｄ］の第１コネクタ２０と拡張展示台の角部に位置する通電ジャック１５の接続端子４６とを、ジャック接続配線（第１配線１５３）のコネクタ１５４、１５５によって接続する。
【００８１】
また、各中継基板１３には、第１コネクタ２０が４個ずつ設けられているため、３個ずつの第１コネクタ（計１２個）が空コネクタ（空端子）とされる。これにより、第１展示部材［Ａ］乃至［Ｄ］を連結して構成する拡張天井部材の角部４箇所の第１設置穴１８を、電源ユニット１５１と通電可能に接続された通電穴として設定することが可能となる。尚、第１実施形態では、図１及び図５等に示すように、天井部材５の角部４箇所（四隅部）に位置する第１設置穴１８を通電穴として設定し、発光装飾物８１を設置する態様としたが、展示する装飾物の大きさや展示位置等に応じて、他の第１設置穴１８を通電穴として設定してもよいし、通電穴を４個より多くして発光装飾物８１を増加してもよいし、通電穴を４個より少なくして発光装飾物８１を減少してもよい。また、誤接続を防止するため、第１コネクタ２０、第２コネクタ２１、及び第３コネクタ２２のコネクタ形状を夫々異ならせている。
【００８２】
次に、図１及び図９に基づいて、展示ケース１の展示台４（床部材）を構成する第２展示部材６１について説明する。図９に示すように、第２展示部材６１は、平面状の発光ステージ面７９を有する発光ステージ部材６２と、発光ステージ部材６２と組み合わさることで箱形状の箱体を構成するハウジング６６と、当該箱体の内部空間（収納空間）に設置される平板状の光拡散板６３と、同じく当該箱体の内部空間に設置される仕切りフレーム６４、同じく当該箱体の内部空間に設置されるＬＥＤ中継基板６５（「中継部」、「ＬＥＤ中継部」ともいう）と、を少なくとも含んで構成されている。そして、ＬＥＤ中継基板６５を所定の配線（電気配線）で接続すると共に、これら、発光ステージ部材６２、光拡散板６３、仕切りフレーム６４、ＬＥＤ中継基板６５、及び、ハウジング６６を、所定の順序・位置で嵌め合わせ、４個のビス９９で固定することで、第２展示部材６１を構成している。
【００８３】
ここで、第１展示部材１１は、電源ユニット１５１と接続することで「通電穴」を設定し、当該通電穴に挿入・設置した電気的装飾物（例えば、発光装飾物８１）に電力を供給可能としている。これにより、第１展示部材１１とは別個の（別部材の）電気的装飾物（例えば、発光装飾物８１）の電気的駆動（発光）を可能としている。これに対して、第２展示部材６１は、内部に発光部材（ＬＥＤチップ７４）を実装したＬＥＤ基板（ＬＥＤ中継基板６５）を有しており、この発光部材を発光することで、第２展示部材６１自体を発光させることを可能としている。これにより、図１に示すように、展示ケース１の床部材として第２展示部材６１を設置した場合には、床面の略全体を光らせることで、展示空間６（第１空間７及び第２空間８）の下方から、展示空間６（第１空間７及び第２空間８）内や展示ケース１内に展示された装飾物を照射することが可能となる。またこれにより、装飾物及び展示ケース１の装飾性を向上させることが可能となる。
【００８４】
また、本第１実施形態では、図１に示すように、第２展示部材６１を複数連結した部材を、展示ケース１の展示台４（床部材、飾り台）として用いている。これにより、第２展示部材６１の平板状の発光ステージ面７９上には、図１２に示すように、所定の装飾物等を設置可能（展示可能）である。そして、展示台４として設置した第２展示部材６１の一部又は全部を発光することで、発光ステージ面７９上に載置した装飾物等を足元から照射すると共に、足元（ステージ面）を光らせ、装飾物及び展示ケース１の装飾性を向上させることが可能となる。然しながら、このような実施態様に限定されない。例えば、第２展示部材６１（又は、第２展示部材６１を複数連結した部材）を、天井部材として用いることも可能である。天井部材として設置することで、第２展示部材６１の発光部材により、展示空間６の上方から展示空間を照射するようにしてもよい。
【００８５】
発光ステージ部材６２は、図９に示すように、発光ステージ面７９と対向する側が開口した凹状の箱形状に形成されており、発光ステージ面７９（図９の図示上面）は１辺が１００ｍｍの正方形状とされ、その表面は平面状とされている。尚、第２展示部材６１の厚みは、第１展示部材１１と同様に、およそ２５ｍｍ程度とされている。また、発光ステージ部材６２には、発光ステージ面７９の裏面側空間を取り囲むように、発光ステージ面７９と垂直方向に周壁部８９が設けられている。そして、対向する両側の（２箇所の）周壁部８９の夫々に、後述する仕切りフレーム６４の係合爪６９が係合する係合穴６７が設けられている。また、発光ステージ部材６２は、ＬＥＤチップ７４が発光した際に当該光を外部に照射するため、光透過性（透光性）の樹脂で成形されている。
【００８６】
光拡散板６３は、ＬＥＤ中継基板６５におけるＬＥＤチップ実装面積より広い面積であって、発光ステージ面７９の裏面側空間において、発光ステージ面７９の裏面側を被覆する大きさで、略正方形の平板状に形成されている。この光拡散板６３は、ＬＥＤチップ７４から出射した光を広範囲に拡散するためのもので、これにより発光ステージ面７９から見える光が、所謂点発光となるのを極力防止し、装飾性を高めることが可能となる。また、光拡散板６３の対向する２辺であって、前述した発光ステージ部材６２の周壁部８９の係合穴６７と同じ側の２辺には、夫々係合凹部６８が設けられている。そして、仕切りフレーム６４の両側の係合爪６９の間に光拡散板６３を、両係合爪６９に両係合凹部６８が嵌合するように嵌め合わせ、両係合爪６９を、発光ステージ部材６２の両係合穴６７に係合させる。これにより、仕切りフレーム６４、光拡散板６３及び発光ステージ部材６２の３部材を確実に固定係合させることが可能となる。また、この光拡散板６３の一方側面には波状に光拡散部（レンズ部）が形成されており、この波状形状によって多様な方向に光を拡散することが可能となる。また、本第１実施形態の光拡散板６３はポリカーボネートで形成しているが、これに替えて、又は加えて、塩化ビニルフィルム等の樹脂で形成した薄い光拡散シート（光拡散フィルム）を設けてもよい。
【００８７】
仕切りフレーム６４は、図９に示すように、フレーム状の骨部材によって３行３列のマトリックス状に９箇所の正方形状の仕切り空間７０を形成している。この仕切り空間７０には、後述する複数（９個）のＬＥＤチップ７４の夫々が（１個ずつ又は１組ずつ）位置するように構成されている。そして、夫々の仕切り空間７０に位置するＬＥＤチップ７４の光が、他の仕切り空間７０に位置するＬＥＤチップ７４の光と混ざるのを極力防止することを可能としている。また、この仕切りフレーム６４の外側の対向する２辺であって、前述した発光ステージ部材６２の周壁部８９の係合穴６７と同じ側の２辺には、発光ステージ面７９側へ向けて鉤状の係合爪６９が夫々突設されている。
【００８８】
また、仕切りフレーム６４の角部の四隅には、ハウジング６６側に固定穴７２が設けられた固定部７１が形成されている。また、仕切りフレーム６４の内側の骨部材と骨部材との交差部４箇所には、夫々ハウジング６６側（ＬＥＤ中継基板６５側）に向けて突出する固定突起７３が設けられている。
【００８９】
ＬＥＤ中継基板６５は、図９及び図１０に示すように、略正方形の平板状に形成される。また、ＬＥＤ中継基板６５の四隅には、嵌合凹部７６が設けられており、当該嵌合凹部７６が、前述した仕切りフレーム６４の四隅に設けられた４個の固定部７１の内側に挟まれるようにして、固定部７１と嵌合する。また、ＬＥＤ中継基板６５の前述した仕切りフレーム６４の固定突起７３に対向する位置には、固定突起７３と同数の挿入穴７５が設けられている。また、ＬＥＤ中継基板６５の発光ステージ部材６２側の面には、仕切りフレーム６４の９個の仕切り空間９０の略中央位置に夫々位置するように、９個（９組）のＬＥＤチップ７４が実装されている。この９個（９組）のＬＥＤチップ７４は、夫々単色のＬＥＤであってもよいし、フルカラーのＬＥＤであってもよい。
【００９０】
また、図１０に示すように、ＬＥＤ中継基板６５のハウジング６６側の面には、電源ユニット１５５及び他の第２展示部材６１が備えるＬＥＤ中継基板６５の何れか一方と電気的に接続可能な第４コネクタ７７（「接続端子」ともいう）と、他の第２展示部材６１が備えるＬＥＤ中継基板６５と接続可能な第５コネクタ７８（「接続端子」ともいう）と、が設けられている（実装されている）。そして、これら第４コネクタ７７及び第５コネクタ７８は、連結される第２展示部材６１の個数、及び連結される形状（正方形状、長方形状、山形形状等）等に応じて、コネクタ１６０、１６１を有する電源ケーブル（第３配線１５９）及びコネクタ１５７、１５８を有する拡張配線（第２配線１５６）を用いて、任意の接続態様で、電源ユニット１５１及び他の第２展示部材６１と電気的に接続される。これにより、連結される第２展示部材６１のＬＥＤ中継基板６５が電気的に接続され、電源ユニット１５１の電源スイッチ１５２をＯＮにすることで、当該ＬＥＤ基板６５に実装されるＬＥＤチップ７４を所定の発光態様で発光させることが可能となる。
【００９１】
ハウジング６６は、図９に示すように、第１展示部材１１のハウジング１４と同様の形状とされており、内側底面９７と対向する側が開口した凹状の箱形状に形成される。従って、ハウジング６６の構造についての詳細な説明は省略する。また、外側周壁部９６の角部の四隅には、仕切りフレーム６４の固定部７１及びビス９９を挿入可能な係合穴９３が設けられている。第２展示部材６１を構成するに際しては、まず、発光ステージ部材６２、光拡散板６３及び仕切りフレーム６４を係合爪６９等で結合して上部部材を構成する。そして、上部部材（仕切りフレーム６４）の固定部７１を、間にＬＥＤ中継基板６５を挟んで、ハウジング６６の係合穴９３に挿入し、係合穴９３の反対側からビス９９を挿入すると共に、当該ビス９９を固定部７１の固定穴７２に挿入する。このビス９９により、上部部材及びハウジング６６を係合固定させる。これにより、第２展示部材６１を構成する。
【００９２】
また、上部部材と、ＬＥＤ中継基板６５及びハウジング６６と、を係合（結合）する際には、仕切りフレーム６４の４個の固定突起７３を、ＬＥＤ中継基板６５の４個の挿入穴７５に夫々挿入し、更に、当該挿入穴７５を介して、ハウジング６６の内側底面９７から立設するハウジング側固定突起９１の固定穴に挿入される。これにより、ＬＥＤ中継基板６５を第２展示部材６１の内部空間の所定位置に位置決め固定し、展示ケース１に振動等が加わった場合にも、ＬＥＤ中継基板６５に位置ズレが生じることを防止することが可能となる。また、第１展示部材１１のハウジング１４と同様に、外側周壁部９６の各辺の略中央位置には上端から所定の深さで切り欠いた切欠部が形成されている。この切欠部は、他の第２展示部材６１や第１展示部材１１と連結する場合や、電源ユニット１５１と接続する場合に、所定の配線（拡張配線、電源ケーブル）を引き出す（引き入れる）ための配線穴９２とされている。
【００９３】
また、第１展示部材１１のハウジング１４と同様、ハウジング６６の内側底面９７の裏面側（外側底面側）であって、鍔部９５の外側底面には、他の第２展示部材６１（又は、第１展示部材１１）と連結するための、多数（複数）の連結穴９８が設けられている。また、四角形状の第２展示部材６１の４辺のうち、どの辺側にも連結可能なように、４辺の鍔部９５の外側底面の夫々に、４個ずつの連結穴９８が設けられている。また、第２展示部材６１を他の第２展示部材６１（又は、第１展示部材１１）と連結する連結構造は、前述した第１展示部材１１の連結構造と同様に、背面側連結部材１２１、正面側連結部材１２６、側方側連結部材１３１、１３５、及び、底部連結部材１３９を用いて同様に行うので、詳細な説明を省略する。尚、４個の第２展示部材６１を正方形状に連結したものが、図１に示す展示ケース１の展示台４（床部材）として設置されている。
【００９４】
次に、図１０を用いて、複数個（４個）の第２展示部材６１を連結して構成した部材（天井部材５）の配線構造について説明する。図１０では、説明の便宜上、４個の第２展示部材６１を夫々第２展示部材［Ａ］、第２展示部材［Ｂ］、第２展示部材［Ｃ］、第２展示部材［Ｄ］として説明する（図１０に示す通り）。図１０は、展示台４の連結部材及びハウジング６６を取り外した状態で、発光ステージ部材６２、ＬＥＤ中継基板６５、配線、電源ユニット１５１等をハウジング６６側から見た図を示している。尚、本第１実施形態では、第２展示部材６１を連結した部材を、展示ケース１の床側に設置したため、展示台４（床部材）としているが、天井側に設置してもよく、この場合は展示ケース１の天井面等を形成する天井部材５となる。
【００９５】
本第１実施形態では、展示台４を構成する全ての第２展示部材６１にＬＥＤ中継基板６５を設け、そのうち、１個のＬＥＤ中継基板６５だけを電源ユニット１５１と直接接続し、他のＬＥＤ中継基板６５は、電源ユニット１５１を直接接続したＬＥＤ中継基板６５を介して電源ユニット１５１と通電可能に接続し、電力を供給するものとする。これにより、展示台４を構成する全ての第２展示部材６１のＬＥＤチップ７４を所定の発光態様で発光可能とする。
【００９６】
まず、第２展示部材［Ａ］の第４コネクタ７７と電源ユニット１５１のコネクタとを、電源ケーブル（第３配線１５９）のコネクタ１６０、１６１によって接続する。また、第２展示部材［Ａ］の第５コネクタ７８は、拡張配線（第２配線１５６）のコネクタ１５７、１５８によって、第２展示部材［Ｂ］の第４コネクタ７７と接続される。また、第２展示部材［Ｂ］の第５コネクタ７８は、拡張配線（第２配線１５６）のコネクタ１５７、１５８によって、第２展示部材［Ｃ］の第４コネクタ７７と接続される。また、第２展示部材［Ｃ］の第５コネクタ７８は、拡張配線（第２配線１５６）のコネクタ１５７、１５８によって、第２展示部材［Ｄ］の第４コネクタ７７と接続される。尚、第２展示部材［Ｄ］の第５コネクタ７８は空コネクタ（空端子）とされる。この様に、第２展示部材［Ａ］乃至［Ｄ］のＬＥＤ中継基板６５は、この順で接続されることで、各ＬＥＤ中継基板に電力が供給される。尚、拡張配線１５６により、所定のＬＥＤ中継基板６５と他のＬＥＤ中継基板６５とを接続する際には、当該拡張配線１５６をハウジング６６の配線穴９２を挿通して接続するものとする。これにより電気配線が展示台４（展示ケース１）の外部に必要以上に露出せず、意匠性、装飾性が低下するのを防止することが可能となる。
【００９７】
ここで、本第１実施形態では、連結した４個の第２展示部材６１を全て電気的に接続して電源ユニット１５１に接続し、全ての第２展示部材６１を発光可能としたが、このような態様に限らず、連結した複数の第２展示部材６１のうち、任意の一部の第２展示部材６１だけを発光してもよい。この場合、連結した第２展示部材６１から、発光させる第２展示部材６１を任意に選択し、発光させる１又は複数の第２展示部材６１のＬＥＤ中継基板６５と電源ユニット１５１だけを電気的に接続し、発光させない１又は複数の第２展示部材６１のＬＥＤ中継基板６５は電源ユニット１５１に接続しないものとする。これにより、第１空間７の第２展示部材６１だけを発光させたり、第２空間８の第２展示部材６１だけを発光させたり、夫々一部の第２展示部材６１だけを発光させたりすることが可能となる。また、発光させない第２展示部材６１は、第２展示部材６１の内部にＬＥＤ中継基板６５を設けないものとしてもよい。これにより、コストを低減し、軽量化することが可能となる。
【００９８】
また、このような構成を採用することで、本第１実施形態とは異なるが、例えば、９個の第２展示部材６１を正方形状（３行３列）に連結して、床部材（展示台）として設定した場合に、９個の第２展示部材６１のうち中心となる第２展示部材６１のみを電源ユニット１５１と接続し、その他は電源ユニット１５１と接続しないことで、当該中心の第２展示部材６１のみを発光させることが可能となる。そして、この中心の第２展示部材６１の発光ステージ面７９上に装飾物３を載置することで、装飾物３を展示空間内で際立たせることが可能となる。また逆に、中心の第２展示部材６１のみ電源ユニット１５１と接続せず、その周りの８個の第２展示部材６１を電源ユニット１５１と接続して、発光可能としてもよい。
【００９９】
また、本実施形態１では、第１展示部材１１（又は第１展示部材１１を連結した部材）と、第２展示部材６１（又は第２展示部材を連結した部材）と、で別個の電源ユニット１５１を用いている。然しながら、このような態様に限らず、第１展示部材１１と第２展示部材６１とを拡張配線により、接続可能とし、第１展示部材１１及び第２展示部材６１（床部材及び天井部材）を電気的に接続することで、第１展示部材１１及び第２展示部材６１を１個の電源ユニット１５１に接続して発光制御するようにしてもよい。
【０１００】
前述したように、本第１実施形態の展示ケース１では、天井部材５を複数（４個）の第１展示部材１１を連結した部材で構成し、床部材（展示台４）を複数（４個）の第２展示部材６１を連結した部材で構成した。これにより、展示台４の発光ステージ面７９に配置する装飾物（「主装飾物」ともいう）の大きさや形状等に応じて、天井部材５のステージ面（天井面）の所定位置の１又は複数の第１設置穴１８を選択して「通電穴」とすることが可能である。そして、この通電穴に挿入・設置した発光装飾物（「副装飾物」ともいう）により、任意の位置から任意の個数で装飾物や展示ケース１の展示空間６（第１空間７及び又は第２空間８）を発光・装飾することが可能となる。
【０１０１】
すなわち、本第１実施形態は第１空間７及び第２空間８の夫々に２個ずつの発光装飾物を設置したが、このような態様に限らず、第１空間７だけに発光装飾物を設置してもよいし、第２空間８だけに発光装飾物を設置してもよいし、第１空間７に設置される発光装飾物と第２空間８に設置される発光装飾物との数を異ならせてもよい。尚、「主装飾物」は、第１空間７及び第２空間８（展示空間６）に展示する主たる装飾物（展示物）であり、例えば、後述する第１空間側装飾物１４４及び第２空間側装飾物１４５が該当する。また、「副装飾物」は、展示空間６に展示される主装飾物を際立たせたり、展示空間６を彩ったりするサブ的な装飾物（展示物）である。例えば、前述した発光装飾物８１、８５が該当する。また、ステージ面（装飾物設置面）上の所定の領域であって、この「主装飾物」を設置する設置部を「主設置部」ともいい、「副装飾物」を設置する設置部（第１設置穴１８等）を「副設置部」ともいう。また、主設置部と副設置部とは重複してもよい。
【０１０２】
また、展示台４（床部材）をそれ自体が発光可能な第２展示部材６１で構成したことにより、任意の第２展示部材６１を発光させて光量や発光位置を調整して、下方から展示空間６（第１空間７、第２空間８）及び装飾物（主装飾物、副装飾物）を照射し装飾することが可能となる。また、天井部材５を、発光装飾物８１を任意の位置に設置可能な第１展示部材１１で構成したことにより、任意の位置（高さ）から発光装飾物を発光させて、上方から展示空間６（第１空間７、第２空間８）及び装飾物（主装飾物、副装飾物）を照射し装飾することが可能となる。
【０１０３】
このように、床部材及び天井部材において、電気的装飾物である発光装飾物や、任意の第２展示部材６１を、任意の位置等で発光させることを可能としたので、展示ケース１内に展示する装飾物（主装飾物）に応じて、装飾態様を様々な態様に設定することが可能となる。また、展示ケース１（展示空間６、第１空間７、又は、第２空間８）の大きさも、連結する第１展示部材１１及び第２展示部材６１の数に応じて自在に設定可能であるので、展示ケース１の装飾態様（発光態様、展示態様）を自在に設定し、装飾性を高めることが可能となる。また、連結する第１展示部材１１又は／及び第２展示部材６１の個数を任意に設定可能としたので、装飾物３を設置可能なステージ面１７（発光ステージ面７９）の大きさ、形状を自在に設定可能とした。これにより、展示する装飾物等や展示ケース１内の展示空間６（第１空間７、第２空間８）内において創り出したい世界観に合わせて、ステージ面１７（発光ステージ面７９）又は／及び展示空間６（第１空間７、第２空間８）を大きくしたり、小さくしたりすることが可能となる。また、展示ケース１の四方側面に設置されるアクリル板２についても、高さの異なる複数のアクリル板を備え、任意のアクリル板を設置することで、展示ケース１の高さを設定することも可能である。
【０１０４】
次に、図１、図８及び図１１を用いて、マジックミラー１０を展示空間６内に取り付けるためのマジックミラー取付部材５１及びそれらの取付構造について説明する。図１１（ａ）に示すように、マジックミラー取付部材５１は、長方形状の平板の一方側面であるマジックミラー取付面５２側に、下駄の歯状に２個の第１立設部５３及び第２立設部５４を有している。第１立設部５３及び第２立設部５４は、何れも、マジックミラー取付面５２の長手方向に伸び、マジックミラー取付面５２と垂直方向に立設し、且つ互いに平行となるように設けられている。これにより、第１立設部５３と第２立設部５４との間には、所定幅の取付溝が形成される。
【０１０５】
また、図１（ｂ）に示すように、第１実施形態におけるマジックミラー取付部材５１の長手方向の長さは、第１展示部材１１のステージ面１７を２個連結した幅（１００ｍｍ×２）と略同じ長さとされている。そして、第１立設部５３と第２立設部５４とで形成される取付溝にマジックミラー１０の端部を挿入して挟みこむことで、マジックミラー１０をマジックミラー取付部材５１に対して固定して取り付ける。また、図１（ｂ）に示すように、取付溝に挿入する側のマジックミラー１０の端部の長さも、ステージ面１７を２個連結した幅（１００ｍｍ×２）と略同じ長さとされている。また、挿入溝によりマジックミラー１０を確実に固定するため、挿入溝の幅は、マジックミラー１０の厚みと同じか、又は、マジックミラー１０の厚みよりも若干小さい部分を有するように形成されている。
【０１０６】
一方、図１１（ｂ）及び（ｃ）に示すように、マジックミラー取付面５２と反対側の面である固定面５５には、ピン状の固定具６０を挿入して固定（嵌合固定）可能な４個の固定穴（第１固定穴５６乃至第４固定穴５９）が設けられている。そして、マジックミラー１０（マジックミラー取付部材５１）の展示ケース１内の（第１展示部材１１に対する）取付位置に応じて、第１固定穴５６乃至第４固定穴５９から所定の固定穴を選択して、固定具６０を挿入固定する。そして、固定具６０の突出部を天井部材５の第２設置穴１９に挿入することで、展示ケース１内に取り付ける。本第１実施形態では、図１（ｂ）で示す位置に、マジックミラー１０（マジックミラー取付部材５１）を取り付けるため、内側の２個の固定穴である第２固定穴５７及び第３固定穴５８に対して、固定具６０を挿入固定している。
【０１０７】
具体的に、第２空間８側の天井部材を構成する２個の第１展示部材１１の第２設置穴１９のうち、一方の第１展示部材１１の第１空間７よりにある第２設置穴１９と、他方の第２展示部材１１の第１空間７よりにある第２設置穴１９と、の２個の第２設置穴１９に、マジックミラー取付部材５１の第２固定穴５７及び第３固定穴５８に挿入して突出する固定具６０を挿入して固定している。また、マジックミラー取付部材５１を、図１（ｂ）の矢印Ｂで示すライン上に設置する場合（この場合、第１実施形態よりも若干第２空間８が広くなる）、固定具６０は同様に第２固定穴５７及び第３固定穴５８に挿入されて所定の第２設置穴１９に取り付けられる。また、マジックミラー取付部材５１を、図１（ｂ）の矢印Ａ又はＣで示すライン上に設置する場合（この場合、第１実施形態よりも第２空間８がかなり狭くなる（矢印Ａ）又はかなり広くなる（矢印Ｃ））、固定具６０は第１固定穴５６及び第４固定穴５９に挿入されて所定の第２設置穴１９に取り付けられる。尚、マジックミラー１０（マジックミラー取付部材５１）の取付位置を変更する場合には、第２空間８を暗空間（暗室）にすべく、展示ケース１の側壁部の着色アクリル板部の領域を対応させる必要がある。
【０１０８】
また、固定具６０は、円柱状（棒状）に形成されており、所定の固定穴に挿入固定された状態で、約半分程度が固定面５５上に突出する（図１１（ｃ）を参照）。そして、固定具６０の突出した部分を、第１展示部材１１のステージ面１７に形成される所定の第２設置穴１９に対して挿入固定することで、第１展示部材１１（展示ケース１）に対して、マジックミラー取付部材５１を固定している。尚、本第１実施形態では、第１展示部材１１を天井部材５にのみ用いているため、マジックミラー取付部材５１を天井部材５に取り付けるものとしているが、第１展示部材１１を床部材に用いた場合には、マジックミラー取付部材５１を床部材の所定の位置に取り付けることが可能となる。
【０１０９】
次に、図１２及び図１３を用いて、展示ケース１内の第１空間７及び第２空間８に対する装飾物の設置態様と装飾物の視認態様について説明する。図１２は、第１実施形態の展示ケース１において、第２展示部材６１で構成される展示台４（床部材）上に装飾物３を載置した図を示している。また、説明の便宜上、展示ケース１の天井部材５及び展示ケースの周壁部を構成するアクリル板（透明アクリル板及び着色アクリル板）を取り外した図を示している。図１２に示す通り、展示台４の発光ステージ面のうち、第１空間７側のステージ面である第１空間ステージ面１４２には、人型の装飾物（模型）である第１空間側装飾物１４４（「第１装飾物」ともいう）が載置されている。また、マジックミラー１０を挟んで、第２空間８側のステージ面である第２空間ステージ面１４３には、車型の装飾物（模型）である第２空間側装飾物１４５（「第２装飾物」ともいう）が載置されている。
【０１１０】
図１３は、展示ケース１の第１空間７及び第２空間８に第１空間側装飾物１４４（人型の装飾物）及び第２空間側装飾物１４５（車型の装飾物）を載置した状態（図１２に示す通り）で、展示ケース１の外から展示ケース１内を視認した際の視認態様を示す図である。また、図１３（ａ）、（ｃ）及び（ｅ）は、電源ユニット１５１の電源スイッチ１５２をＯＦＦにし、展示台４を構成する第２展示部材６１の発光部材（ＬＥＤチップ７４）を消灯状態、且つ、天井部材５を構成する第１展示部材１１に設置される発光装飾物８１を消灯状態とした際の視認態様を示す図である。尚、図１３（ａ）は、展示ケース１を正面側（第１空間側）から見た図であり、図１３（ｃ）は、展示ケース１を左側方から見た図であり、図１３（ｅ）は展示ケース１を右側方から見た図である。ここで、展示ケース１が有する第２展示部材６１の発光部材（ＬＥＤチップ７４）及び第１展示部材１１に設置される発光装飾物８１を総じて「発光部」ともいう。
【０１１１】
図１３（ａ）に示すように、展示ケース１が有する発光部を全て消灯した場合（電源ＯＦＦ）、展示ケース１の正面側から展示ケース１内部を見ると、第１空間７内に展示される装飾物３（第１空間側装飾物１４４）は視認できるものの、マジックミラー１０の奥側の第２空間８内に展示される装飾物３（第２空間側装飾物１４５）は視認できない。また、この発光部を消灯して第２空間８を暗空間（暗い空間）とした状態では、マジックミラー１０の第１空間側表面が鏡面状に見える。これは、明空間（明るい空間）である第１空間７に対して入射してマジックミラー１０に反射する外光の反射光の光量が、第２空間８からマジックミラー１０を透過する透過光の光量よりもかなり多く、透過光は目に届かない（届き難い）からである。
【０１１２】
これにより、図１３（ａ）に示すように、展示ケース１が有する発光部を全て消灯した状態では、マジックミラー１０の第１空間側表面が鏡面状となり、当該鏡面に第１空間側装飾物１４４の背面や第１空間７の様子が反射して見えることとなる。図１３（ａ）の破線で示す人型像は、鏡面（マジックミラー１０）に映る第１空間側装飾物１４４’である。また、図１３（ｃ）は、展示ケース１が有する発光部を全て消灯した状態で、展示ケース１を左側面から見たものである。そして、図１３（ｃ）に示す通り、第２空間８は側面全体を黒色の着色アクリル板９で覆われ、第２空間８内部を視認できないようにされている。同様に、図１３（ｅ）は、展示ケース１が有する発光部を全て消灯した状態で、展示ケース１を右側面から見たものであり、第２空間８は側面全体を黒色の着色アクリル板９で覆われ、第２空間８内部が視認できないようにされている。また、図示しないが、背面側も、その全体が黒色の着色アクリル板９で覆われ、第２空間８内部を視認できないようにされている。
【０１１３】
また、天井部材５及び展示台４も、内部を視認できない不透明部材で構成されているため、上部又は下部からも展示空間６（第２空間８）内部を視認できないようにされている。これにより、展示ケース１が有する発光部を全て消灯した状態では、第２空間８には、第１空間７側からマジックミラー１０を通して僅かな量の光が入射するだけで、暗い空間（暗空間）とされる。一方、図１３に示す通り、第１空間７は、当該第１空間の正面側、左側及び右側を透明アクリル板２により構成しているため、透明アクリル板２を通して外光（展示ケース１外からの光）が入射する。これにより、展示ケース１が有する発光部を全て消灯した状態であっても、展示ケース１を設置する場所（部屋等）が明るければ、明るい空間（明空間）とされる。
【０１１４】
次に、図１３（ｂ）、（ｄ）及び（ｆ）は、電源ユニット１５１の電源スイッチ１５２をＯＮにし、展示台４を構成する第２展示部材６１の発光部材（ＬＥＤチップ７４）を点灯状態、且つ、天井部材５を構成する第１展示部材１１に設置される発光装飾物８１を点灯状態とした際の視認態様を示す図である。尚、図１３（ｂ）は、展示ケース１を正面側（第１空間側）から見た図であり、図１３（ｄ）は、展示ケース１を左側方から見た図であり、図１３（ｆ）は展示ケース１を右側方から見た図である。
【０１１５】
図１３（ｂ）に示すように、展示ケース１が有する発光部を全て点灯した場合（電源ＯＮ）、第１空間７及び第２空間８がいずれも明空間とされる。そして、展示ケース１の正面側から展示ケース１内部を見ると、第１空間７内に展示される装飾物３（第１空間側装飾物１４４）、及び、マジックミラー１０の奥側の第２空間８内に展示される装飾物３（第２空間側装飾物１４５）、の両方を視認することが可能となる。すなわち、人型の装飾物１４４及び車型の装飾物１４５の両方を視認可能な状態となる。これは、第２空間８に照射する発光部を点灯したことで、第２空間８が明空間（明るい空間）となり、第２空間８からマジックミラー１０を透過する透過光の光量が増加し、当該透過光が目に届くようになったことによるものである。
【０１１６】
また、図１３（ｄ）及び（ｆ）に示すとおり、第２空間８の側壁及び背面壁を構成する着色アクリル板９（不透明部材）は、第２空間８に光を照射しても（第２空間８を明空間としても）内部が視認可能な状態とはならない。すなわち、不透明部材のままである。これは、展示台４及び天井部材５も同様である。
【０１１７】
尚、図１３（ａ）、（ｃ）及び（ｅ）の態様において、第１実施形態では展示ケース１内の全ての発光部を消灯するものとしたが、第２空間８に光を照射する発光部を消灯し、第１空間７に光を照射する発光部は点灯するものとしてもよい。また、図１３（ｂ）、（ｄ）及び（ｆ）の態様において、第１実施形態では展示ケース１内の全ての発光部を点灯するものとしたが、第２空間８に光を照射する発光部を点灯し、第１空間７に光を照射する発光部は消灯してもよい。これによっても、図１３と同様の視認態様となる。
【０１１８】
以上説明したように、展示空間６を第１空間７及び第２空間に仕切る（隔てる）マジックミラー１０を、天井部材５を構成する第１展示部材１１に対して任意の位置に取り付ける（設置する）ことを可能とした。これにより、展示空間６内における第１空間７と第２空間８との大きさ（割合）を任意に設定することが可能となる。またこれにより、第１空間７と第２空間８とを同じ大きさとしたり、第１空間７を第２空間８よりも大きくしたり、第２空間８を第１空間７よりも大きくしたりすることが可能となる。また、展示空間６（第１空間７、第２空間８）内において創り出したい世界観や、第１空間７及び第２空間８の夫々に設置したい装飾物の大きさ・形状等に合わせて、マジックミラー１０の位置（第１空間７及び第２空間８の大きさ）を任意に設定し、装飾性を高めることが可能となる。
【０１１９】
また、展示空間６内にマジックミラー１０を設置することで、明空間（第１空間７）と暗空間（第２空間８）とを設け、暗空間内に光を照射する発光部を点灯又は消灯することにより、展示空間内６の視認態様を変化させることが可能となる。すなわち、第２空間８に光を照射可能な発光部を消灯した状態では、第１空間７を明空間且つ第２空間８を暗空間とし、第１空間７に載置された装飾物を視認可能とし、第２空間８に載置された装飾物を視認不能（視認困難）とする。また、第２空間８に光を照射可能な発光部を点灯した状態では、第１空間７及び第２空間８を何れも明空間とし、第１空間７に載置された装飾物及び第２空間８に載置された装飾物の両方を視認可能とする。このように、発光部を点灯又は消灯することにより、展示ケース１内に展示される装飾物の視認態様を変化させる（一部視認又は全部視認）ことが可能となる。またこれにより、展示ケース１に展示される装飾物の装飾態様（視認態様）を多様化し、装飾性を向上させることが可能となる。
【０１２０】
［第２実施形態］
次に、図１４を用いて第２実施形態の展示ケース２０１について説明する。第１実施形態の展示ケース１は、当該展示ケース１の展示台４を、複数の第２展示部材６１を連結して構成した。本第２実施形態は、これに替えて、展示ケース２０１の展示台４を、複数の第１展示部材１１を連結して構成する。これにより、展示台４のステージ面（床面）上に発光装飾物８１を設置可能となると共に、装飾物３を所定の支持部材を用いて固定設置することが可能となる。具体的に、図６及び図１４を用いて、展示ケース２０１の展示空間６（第１空間７、第２空間８）内に展示される装飾物３及び装飾物３を支持固定するための支持部材１１０について説明する。
【０１２１】
第２実施形態では、図１４に示すように、４個の第１展示部材１１を連結して展示台４を形成している。そして、展示台４のステージ面１７（拡張ステージ面）には、第１設置穴１８及び第２設置穴１９が形成されている。このステージ面１７に装飾物等を設置する場合には、第１設置穴１８に装飾物の一部を挿入して固定設置するか、第２設置穴１９に装飾物の一部を挿入して固定設置するか、又は、設置穴１８、１９に装飾物等の一部を挿入することなく単にステージ面１７上に載置するものとする。
【０１２２】
後者の態様、すなわち、装飾物３を、当該装飾物３の一部を設置穴に挿入することなくステージ面１７上に単に載置する場合において、装飾物３のステージ面１７と接する部分の面積が小さい場合や、重心の位置関係でバランスが悪い場合等には、展示ケース１に加えた振動によって、装飾物３が転倒したり、位置ズレしたりする場合がある。そこで本第２実施形態では、図６（ｄ）に示す棒状の支持部材１１０を設け、図１４に示すように、支持部材１１０によって、ステージ面１７上に載置した装飾物３を支持固定することを可能としている。
【０１２３】
具体的に、支持部材１１０は、図６（ｄ）に示すように、棒状の支持棒部１１１の一端側にステージ側鍔部１１２及びステージ側挿入突起１１３が設けられ、他端側に装飾物側鍔部１１４及び装飾物側挿入突起１１５が設けられている。このステージ側挿入突起１１３を、ステージ面１７上の第２設置穴１９に挿入することで、支持部材１１０をステージ面１７上に固定可能としている。尚、ステージ側挿入突起１１３は、最大直径４．３ｍｍで断面円形状の突起部とされている。また、図１４に示す人型の装飾物１４４の背面には、図示しない挿入穴が形成されており、装飾物側挿入突起１１５を、装飾物１４４の挿入穴に挿入することで、支持部材１１０と装飾物１４４とを固定可能としている。これにより、支持部材１１０を介して、装飾物３をステージ面１７上に固定可能としている。
【０１２４】
また、第２設置穴１９はステージ面１７（拡張ステージ面）上に複数個所（１６箇所）形成されており、装飾物３の設置位置（載置位置）に応じて、任意の第２設置穴１９に支持部材１１０を挿入し、固定することが可能である。また、支持部材１１０を設置する際に、ちょうどよい位置に第２設置穴１９がない場合に使用する変換部材（補助部材）として、図６（ｅ）に示す穴径変換部材１７１を備えている。穴径変換部材１７１は、鍔部１７３と、挿入突起１７５と、第２設置穴１９と同じ六角形状で同じ大きさの設置穴１７２と、を有して構成される。挿入突起１７５は、ステージ面１７上の第１設置穴１８に挿入して固定することが可能とされ、設置穴１７２には、第２設置穴１９と同様に、支持部材１１０のステージ側挿入突起１１３を挿入することが可能となっている。尚、設置穴１７２の穴の深さは、鍔部の高さの範囲内で形成されている。これにより、第１設置穴１８を第２設置穴１９に変換することが可能となっている。またこれにより、支持部材１１０の設置位置や装飾物３の設置位置（展示位置）を多様に設定することが可能となる。
【０１２５】
本第２実施形態では、図１４に示す通り、第１空間７の第１空間ステージ面１４２を構成する第１展示部材１１の所定の第１設置穴１８に、穴径変換部材１７１を挿入し、当該穴径変換部材１７１を介して支持部材１１０を固定している。また、図１４では、説明の便宜上天井部材５を示していないが、天井部材５を第１展示部材１１で構成してもよいし、第２展示部材６１で構成してもよい。
【０１２６】
［第３実施形態］
次に、図１５乃至図１９を用いて、第３実施形態の展示ケース３０１について説明する。第３実施形態の展示ケース３０１は、第１実施形態の展示ケース１と異なり、展示空間の内部にマジックミラー１０を備えておらず、展示空間６を暗空間と明空間とに区画していない。第３実施形態では、マジックミラー１０に替えて、導光板１８１を備えている。この導光板１８１の所定位置には、光を屈折させる屈折部が所定形状に形成されている。そして、導光板１８１の端部から入射した光（ＬＥＤ光）が、屈折部で屈折してパネル正面（又は背面）側に照射される。これにより、導光板の所定箇所に所定の絵柄が表示されることとなる。また、この屈折部は、導光板１８１の表面に形成された微細な凹凸、溝、穴等により構成したり、導光板１８１の基材内部に構成したりすることが可能である。
【０１２７】
また、第３実施形態の展示ケース３０１は、第１実施形態の展示ケース１と異なり、展示台４及び天井部材５を夫々２個の第１展示部材１１を連結することにより構成している。然しながら、このような態様に限らず、第１実施形態と同様に、４個の第１展示部材１１を連結して展示台４及び天井部材５を構成してもよいし、５個以上の第１展示部材１１を連結して展示台４及び天井部材５を構成してもよい。また、展示台４及び天井部材５の一方又は両方を、第２展示部材６１を連結して構成してもよい。
【０１２８】
図１５（ａ）は、第３実施形態の展示ケース３０１正面側からみた図であり、図１５（ｂ）は、展示ケース３０１を右側方から見た図であり、図１５（ｃ）は、図１５（ａ）の２点差線で示すＢ−Ｂ断面を示す図である。また、展示空間６内には、人型の装飾物３（フィギュア）が、第１展示部材１１のステージ面１７上に載置されている。また、展示台４及び天井部材５のステージ面１７には、発光装飾物８１が２個ずつ設置されている。いずれも、電源ユニット１５１に接続された通電固定穴４７に挿入固定されており、電源スイッチ１５２をＯＮにすることで、発光可能となっている。また、展示台４と天井部材５との間において、展示ケース３０１の壁面部（側壁部）を構成する部材は、図１５（ａ）に示す正面側の壁面部、及び、左右の壁面部は、透明アクリル板２で構成されている。また、背面側の壁面部は、導光板１８１で構成されている。
【０１２９】
図１６及び図１７に示すように、展示台４の背面側において２個の第１展示部材１１を連結する特別背面側連結部材１２１０は、挿入溝に導光板１８１及びＬＥＤ基板１８７を挿入して（挟んで）固定する。そのため、特別背面側連結部材１２１０は、第１実施形態で使用する背面側連結部材１２１よりも、挿入溝が大きく形成されるように、若干大型に形成されている。また、第３実施形態では、２個の第１展示部材１１を連結して展示台４及び天井部材５を構成しているため、左右側方を連結する（被覆する）部材として、第１実施形態よりも小型の特別側方側連結部材１３１０、１３５０を用いている。これら、特別背面側連結部材１２１０及び特別側方側連結部材１３１０、１３５０の構造は、若干サイズが異なるものの、基本的構造は、背面側連結部材１２１及び側方側連結部材１３１、１３５と夫々略同じであるので、説明を省略する。
【０１３０】
また、図１６及び図１７に示すように、導光板１８１は、展示台４の挿入溝に挿入される側の端部には、挿入溝への挿入範囲内において、門型の切欠部１８２（門型切欠部）が形成されている。すなわち、展示台４の挿入溝に導光板１８１を挿入した状態において（展示ケース３０１を構成した状態において）、切欠部１８２は挿入溝内に隠れて、外部から視認できない。また、切欠部１８２の左右には門型切欠部の足部１８３が形成されており、当該足部１８３には、ＬＥＤ基板１８７を固定するための固定穴１８４が形成されている。また、天井部材５の挿入溝に挿入される側の導光板１８１端部には、第１展示部材１１の配線穴２７の位置に合わせて、配線用切欠部１８５が２箇所形成されている。そして、第１展示部材１１の配線穴２７から導出する配線（電源ケーブル）は、導光板１８１の配線用切欠部１８５を通って、背面側連結部材１２１の配線穴１２４から導出されて、電源ユニット１５１に接続される。
【０１３１】
また、ＬＥＤ基板１８７は、導光板１８１に接する側の一方側表面に、所定間隔で１０個のＬＥＤ１８８が実装され、且つ、所定箇所に第１展示部材６１の中継基板１３（又は、第２展示部材６１のＬＥＤ中継基板６５）と接続するためのコネクタ１８９が設けられている（実装されている）。この１０個のＬＥＤ１８８は、導光板１８１側に突出して設けられると共に、ＬＥＤ１８８の発光方向が天井部材側、すなわち上方に向けて発光するように、設けられている。また、図１８に示すように、コネクタ１８９は配線穴２７に対向する位置に設けられている。また、ＬＥＤ基板１８７の左右端部であって、導光板１８１の足部１８３の固定穴１８４に対向する位置に、導光板１８１とＬＥＤ基板１８７とを固定するための固定穴１９１が設けられている。また、ＬＥＤ基板１８７の下端部には、第１展示部材１１の配線穴２７の位置に対向して、配線用切欠部１９０が１箇所形成されている。そして、第１展示部材１１の配線穴２７から導出する配線（電源ケーブル）は、導光板１８１の配線用切欠部１８５を通って、特別背面側連結部材１２１０の配線穴１２４０から導出されて、電源ユニット１５１に接続される。
【０１３２】
また、導光板１８１及びＬＥＤ基板１８７は、固定穴１８４、１９１を用いてビス止めされ、展示台４に形成された背面側の挿入溝及び天井部材５に形成された背面側の挿入溝に夫々挿入して固定される。また、図１５（ｃ）等に示すように、この挿入（固定）した状態において、ＬＥＤ基板１８７に実装される１０個のＬＥＤ１８８は、その発光部が、導光板１８１の切欠部内に位置するように配置される。そして、ＬＥＤ１８８は、上方（鉛直上方）に向けて発光することで、導光板１８１の下端から導光板１８１の平面（表面）と平行方向に、すなわち、照射する光が導光板１８１の基体内部に沿って進むように、発光される。これにより、ＬＥＤ１８８を発光させると、導光板１８１に形成された屈折部を通ることで表示される絵柄が、導光板１８１の表面の所定箇所に現れる。これにより、ＬＥＤ１８８を発光しない状態では視認できなかった（視認し難かった）絵柄を表示することが可能となり、装飾性を向上することが可能となる。
【０１３３】
次に、図１８を用いて、複数個（２個）の第１展示部材１１を連結して構成した展示台４の配線構造について説明する。図５では、説明の便宜上、２個の第１展示部材１１を第１展示部材［Ａ］及び第１展示部材［Ｂ］として説明する。図１８は、展示台４の連結部材及びハウジング１４を取り外した状態（導光板１８１及びＬＥＤ基板１８７は取り付けたまま）で、ステージ部材１２、中継基板１３、通電ジャック１５、配線、電源ユニット１５１等をハウジング１４側から見た図を示している。
【０１３４】
本第３実施形態では、展示台４を構成する全ての第１展示部材１１に中継基板１３を設け、そのうち、１個の中継基板１３だけ（第１展示部材［Ｂ］）を電源ユニット１５１と直接接続し、他の中継基板１３には、電源ユニット１５１を直接接続した中継基板１３を介して電源ユニット１５１と通電可能に接続し、電力を供給するものとする。また、図１８に示すように、各ステージ部材１２には夫々４個のジャック嵌合部４０が設けられており、全て（１６箇所）のジャック嵌合部４０に通電ジャック１５が嵌合設置されている。そして、これら１６箇所の通電ジャック１５から任意に選択した２箇所の通電ジャック１５を電源ユニット１５１と通電可能に接続するものとする。この２箇所は、各ステージ部材１２に１箇所ずつ設けられている。
【０１３５】
まず、第１展示部材［Ｂ］の第２コネクタ２１と電源ユニット１５１のコネクタとを、電源ケーブル（第３配線１５９）のコネクタ１６０、１６１によって接続する。また、第１展示部材［Ｂ］の第３コネクタ２２は、拡張配線（第２配線１５６）のコネクタ１５７、１５８によって、第１展示部材［Ａ］の第２コネクタ２１と接続される。尚、第１展示部材［Ａ］の第３コネクタ２２は空コネクタ（空端子）とされる。このように、第１展示部材［Ｂ］及び［Ａ］の中継基板は、この順で接続されることで、各中継基板に電力が供給される。尚、拡張配線１５６により、所定の中継基板１３と他の中継基板１３とを接続する際には、当該拡張配線１５６をハウジング１４の配線穴２７を挿通して接続するものとする。これにより電気配線が展示台４（展示ケース１）の外部に必要以上に露出せず、意匠性、装飾性が低下するのを防止することが可能となる。
【０１３６】
また、第１展示部材［Ｂ］の第１コネクタ２０と拡張展示台の角部に位置する通電ジャック１５の接続端子４６とを、ジャック接続配線（第１配線１５３）のコネクタ１５４、１５５によって接続する。また、第１展示部材［Ａ］の第１コネクタ２０と拡張展示台の角部に位置する通電ジャック１５の接続端子４６とを、ジャック接続配線（第１配線１５３）のコネクタ１５４、１５５によって接続する。また、同じく第１展示部材［Ａ］の第１コネクタ２０とＬＥＤ基板１８７のコネクタ１８９とを、導光部接続配線（第４配線）のコネクタ１６３、１６４によって接続する。尚、他の接続態様として、ＬＥＤ基板１８７のコネクタ１８９を、第１コネクタ２０でなく、第３コネクタ２２に接続するようにしてもよい。
【０１３７】
また、各中継基板１３には、第１コネクタ２０が４個ずつ設けられているため、第１展示部材［Ｂ］の中継基板１３は３個の第１コネクタ２０が空コネクタ（空端子）とされ、第１展示部材［Ａ］の中継基板１３は２個の第１コネクタ２０が空コネクタとされる。このように各コネクタを接続することで、第１展示部材［Ｂ］及び［Ａ］を連結して構成する拡張展示台の角部２箇所の第１設置穴１８を、電源ユニット１５１と通電可能に接続された通電穴として設定する。また、導光部（導光板１８１及びＬＥＤ基板１８７を含む）のＬＥＤ基板１８７を電源ユニット１５１と通電可能に接続することが可能となる。また、このような接続態様において、電源ユニット１５１の電源スイッチ１５２をＯＮにすると、通電穴（第１設置穴１８）に挿入設置された発光装飾物８１及び発光部のＬＥＤ基板１８７に実装されるＬＥＤ１８８（光源）が発光し、展示ケース３０１の展示空間６内に光が照射されると共に、導光板１８１の所定箇所に絵柄１４６が表示されることとなる。
【０１３８】
また、展示ケース３０１を構成する天井部材５は、展示台４と同様に、第１展示部材１１を２個連結して構成されている。また、天井部材５の配線構造は、導光部のＬＥＤ基板１８７を有していいない点を除いて同様であるので、これらの説明を省略する。
【０１３９】
次に、図１９を用いて、展示ケース３０１の展示空間６に展示された装飾物３及び導光板１８１の視認態様について説明する。図１９は、第３実施形態の展示ケース３０１において、第１展示部材１１で構成される展示台４（床部材）上に人型の装飾物３を載置した状態で、展示ケース３０１の外から展示ケース３０１内を視認した際の視認態様を示す図である。また、図示は省略するが、図１６等に示すように展示台４及び天井部材５に夫々２個の発光装飾物８１を設置している。
【０１４０】
また、図１９（ａ）、（ｃ）及び（ｅ）は、電源ユニット１５１の電源スイッチ１５２をＯＦＦにし、展示台４及び天井部材５に設置される発光装飾物８１を消灯状態、且つ、導光板１８１に向けて光を照射するＬＥＤ基板１８７のＬＥＤ１８８を消灯状態とした際の視認態様を示す図である。尚、図１９（ａ）は、展示ケース３０１を正面側（導光板１８１が背面側となる位置）から見た図であり、図１９（ｃ）は、展示ケース３０１を左側方から見た図であり、図１９（ｅ）は展示ケース３０１を右側方から見た図である。ここで、展示ケース３０１が有する発光装飾物８１及びＬＥＤ基板１８７に実装されるＬＥＤ１８８を総じて「特定発光部」ともいう。
【０１４１】
図１９（ａ）に示すように、展示ケース３０１が有する特定発光部を全て消灯した場合（電源ＯＦＦ）、展示ケース３０１の正面側から展示ケース３０１内部を視認すると、展示空間６に展示される装飾物３を視認できるものの、導光板１８１の絵柄１４６は視認できない。また、図１９（ｃ）は、展示ケース３０１が有する特定発光部を全て消灯した状態で、展示ケース３０１を左側面から見たものであり、同様に、導光板１８１の絵柄１４６は視認できない。また、図１９（ｅ）は、展示ケース３０１が有する特定発光部を全て消灯した状態で、展示ケース３０１を右側面から見たものであり、同様に、導光板１８１の絵柄１４６は視認できない。すなわち、特定発光部を全て消灯した場合（電源ＯＦＦ）、少なくとも、ＬＥＤ基板１８７のＬＥＤ１８８を発光させない状態では、導光板１８１の絵柄は視認できない（又は、視認困難な）状態とされる。
【０１４２】
次に、図１９（ｂ）、（ｄ）及び（ｆ）は、電源ユニット１５１の電源スイッチ１５２をＯＮにし、展示台４及び天井部材５に設置される発光装飾物８１を点灯状態、且つ、導光板１８１に向けて光を照射するＬＥＤ基板１８７のＬＥＤ１８８を点灯状態とした際の視認態様を示す図である。尚、図１９（ｂ）は、展示ケース３０１を正面側（導光板１８１が背面側となる位置）から見た図であり、図１９（ｄ）は、展示ケース３０１を左側方から見た図であり、図１９（ｆ）は展示ケース３０１を右側方から見た図である。
【０１４３】
図１９（ｂ）に示すように、展示ケース３０１が有する特定発光部を全て点灯した場合（電源ＯＮ）、展示ケース３０１の正面側から展示ケース内部を視認すると、展示空間６に展示される装飾物３、及び、導光板１８１に表示される２個の星型の導光板絵柄１４６、の両方を視認することが可能となる。すなわち、人型の装飾物３及び星型の導光板絵柄１４６の両方を視認可能な状態となる。尚、この星型の導光板絵柄１４６の色は、ＬＥＤ１８８の発光色によって様々な色とすることができる。単色としてもよいし、複数の色としてもよいし、ＬＥＤ１８８から照射する発光色を変化させることで導光板絵柄１４６の色を変化させることも可能である。
【０１４４】
また、図１９（ｄ）及び（ｆ）からは、導光板１８１の厚みが薄いため、星型の導光板絵柄１４６を確認することができない。然しながら、斜め方向から視認することで、側壁部の透明アクリル板２を通しても、導光板１８１に表示される星型の導光板絵柄１４６を視認することが可能である。
【０１４５】
尚、図１９（ａ）、（ｃ）及び（ｅ）の態様において、第３実施形態では展示ケース３０１内の全ての特定発光部を消灯するものとしたが、ＬＥＤ基板１８７のＬＥＤ１８８を消灯し、発光装飾物８１は点灯するものとしてもよい。また、図１９（ｂ）、（ｄ）及び（ｆ）の態様において、第３実施形態では展示ケース３０１内の全ての特定発光部を点灯するものとしたが、ＬＥＤ基板１８７のＬＥＤ１８８を点灯し、発光装飾物８１は消灯するものとしてもよい。これによっても、図１９と同様の視認態様とすることが可能である。
【０１４６】
以上説明したように、展示空間６を区画する壁面部（側壁面）のうち、背面側の壁面部を導光板とした。これにより、導光板に光を照射するＬＥＤを実装するＬＥＤ基板への電力の供給の有無に応じて（ＬＥＤの発光・非発光に応じて）、導光板に所定の絵柄を表示したり、非表示としたりすることが可能となる。すなわち、ＬＥＤ基板のＬＥＤを発光しない場合には、導光板の絵柄を非表示として、展示空間に展示される装飾物を視認可能とすると共に、導光板絵柄を視認不能（又は、視認困難）とする。一方、ＬＥＤ基板のＬＥＤを発光する場合には、導光板に所定の絵柄を表示して、展示空間に展示される装飾物と導光板絵柄との両方を視認可能とする。
【０１４７】
このように、発光部（ＬＥＤ基板のＬＥＤ）を点灯又は消灯する（発光制御する）ことにより、展示ケース３０１内に展示される装飾物３等の視認態様を変化させることが可能となる。またこれにより、展示ケース３０１に展示される装飾物の装飾態様（視認態様）を多様化し、装飾性を向上させることが可能となる。またこれにより、展示空間６において創り出したい世界観や、展示空間６に設置したい装飾物の大きさ・形状等に合わせて、任意の位置に導光板を設置し、装飾性を高めることが可能となる。
【０１４８】
前述の態様において、「床部材と、天井部材と、床部材と天井部材との間の空間を囲んで配置される複数の周壁面（周壁部）と、で構成される展示ケース（飾りケース）であって、
導光部材（導光板）と、導光部材の端部から当該導光部材の基体内部に向けて、（導光板の表面部と平行方向に）光を照射する導光発光部（ＬＥＤ）と、を備え、
導光部材は、基体内部又は基体表面に、導光発光部が照射した光を屈折させる屈折部を有し、
複数の周壁面の少なくとも１面は、導光板で形成され、導光発光部を発光させることで、導光部材の表面に所定の絵柄を表示する」ものとしてもよい。
【０１４９】
このような構成とすることで、導光発光部の発光態様を制御して（「発光態様制御手段」を有する）、視認態様を変化させ、展示ケース内において視認される装飾態様を変化させることが可能となる。これにより、展示ケース及び装飾物の装飾効果を向上することが可能となる。
【０１５０】
また、「床部材と天井部材との間の空間を囲んで配置される４面の側壁面（側壁部）を備え、
任意の１又は複数の側壁面を、導光部材で形成する」ものとしてもよい。
これにより、展示空間６において創り出したい世界観や、展示空間６に設置したい装飾物の大きさ・形状等に合わせて、任意の位置に、任意の数の導光板を設置し、装飾性を高めることが可能となる。
【０１５１】
［第４実施形態］
前述した第１実施形態では、天井部材５を複数の第１展示部材１１を連結して構成し、床部材（展示台４）を複数の第２展示部材６１を連結して構成した。然しながら、第１展示部材１１及び第２展示部材６１の連結態様はこのような態様に限らない。図２０に示すように、第４実施形態では、第１展示部材１１と第２連結部材６１とを連結して、床部材又は天井部材を構成する例を説明する。図２０では、説明の便宜上、連結した２個の第１展示部材１１及び２個の第２展示部材６１を夫々第２展示部材［Ａ］、第２展示部材［Ｂ］、第１展示部材［Ｃ］、第１展示部材［Ｄ］として説明する（図２０に示す通り）。
【０１５２】
図２０（ａ）に示すように、時計回りに第２展示部材［Ａ］の隣に第１展示部材［Ｄ］を連結し、当該第１展示部材［Ｄ］の隣に第２展示部材［Ｂ］を連結し、当該第２展示部材［Ｂ］の隣に第１展示部材［Ｃ］を連結し、当該第１展示部材［Ｃ］の隣に前述の第２展示部材［Ａ］を連結している。これにより、４個の展示部材（２個の第１展示部材１１及び２個の第２展示部材６１）を連結して、２行２列の正方形状の展示部材（展示ケースを構成する部材、床部材又は天井部材）としている。
【０１５３】
また、図２０に示すように、第１展示部材［Ｃ］から任意に選択した２個の第１設置穴（図２０の発光装飾物８１が設置された箇所）、及び、第１展示部材［Ｄ］から任意に選択した２個の第１設置穴（図２０の発光装飾物８１が設置された箇所）を、通電穴に設定している。また、第２展示部材６１は何れも電源ユニット１５１と接続して発光可能としている。次に、図２０（ｂ）を用いて、第４実施形態の展示部材の配線構造について説明する。本第４実施形態では、第２展示部材［Ａ］及び［Ｂ］と、第１展示部材［Ｃ］及び［Ｄ］と、で別個の電源ユニット１５１を設けて、夫々に電力を供給するものとしている。然しながら、このような態様に限らず、前述したように、第１展示部材１１と第２展示部材６１とを電気的に接続可能とし、１個の電源ユニット１５１から電力を供給するようにしてもよい。
【０１５４】
まず、第２展示部材［Ａ］の第４コネクタ７７と電源ユニット１５１のコネクタとを、電源ケーブル（第３配線１５９）のコネクタ１６０、１６１によって接続する。また、第２展示部材［Ａ］の第５コネクタ７８は、拡張配線（第２配線１５６）のコネクタ１５７、１５８によって、斜向かいの第２展示部材［Ｂ］の第４コネクタ７７と接続される。また、第２展示部材［Ｂ］の第５コネクタ７８は、空コネクタ（空端子）とされる。また、第１展示部材［Ｃ］の第２コネクタ２１と電源ユニット１５１のコネクタとを、電源ケーブル（第３配線１５９）のコネクタ１６０、１６１によって接続する。また、第１展示部材［Ｃ］の第３コネクタ２２は、拡張配線（第２配線１５６）のコネクタ１５７、１５８によって、第１展示部材［Ｄ］の第２コネクタ２１と接続される。また、第１展示部材［Ｄ］の第３コネクタ２２は、空コネクタ（空端子）とされる。尚、拡張配線１５６により、所定の中継基板１３（ＬＥＤ中継基板６５）と他の中継基板１３（ＬＥＤ中継基板６５）とを接続する際には、当該拡張配線１５６をハウジング１４、６６の配線穴２７、９２を挿通して接続するものとする。これにより電気配線が展示部材（展示ケース１）の外部に必要以上に露出せず、意匠性、装飾性が低下するのを防止することが可能となる。
【０１５５】
また、第１展示部材［Ｃ］の２個の第１コネクタ２０と、展示台（拡張展示台）の角部に位置する通電ジャック１５の接続端子４６及びその隣接位置の通電ジャック１５の接続端子４６と、を夫々ジャック接続配線（第１配線１５３）のコネクタ１５４、１５５によって接続する。また、第１展示部材［Ｄ］の２個の第１コネクタ２０と、展示台（拡張展示台）の角部に位置する通電ジャック１５の接続端子４６及びその隣接位置の通電ジャック１５の接続端子４６と、を夫々ジャック接続配線（第１配線１５３）のコネクタ１５４、１５５によって接続する。また、第１展示部材［Ｃ］及び［Ｄ］の各中継基板１３には、第１コネクタ２０が４個ずつ設けられているため、２個ずつの第１コネクタ２０（計４個）が空コネクタ（空端子）とされる。
【０１５６】
前述したように、第２実施形態の展示部材（床部材又は天井部材）では、第１展示部材１１及び第２展示部材６１を連結し、これらを任意に組合せて構成することを可能としたので、床部材や天井部材の発光態様を多様化することが可能となる。これにより、展示ケース１の装飾態様（発光態様、展示態様）を自在に設定し、装飾性を高めることが可能となる。尚、本第４実施形態を、第１実施形態乃至第３実施形態の１又は複数と組合せてもよい。
【０１５７】
［第５実施形態］
前述した第１実施形態乃至第４実施形態では、展示台４（床部材）又は天井部材５を構成する第１展示部材１１を複数連結する場合において、全ての第１展示部材１１に中継基板１３を設け、所定の第１展示部材１１の第１設置穴１８を通電穴に設定する場合には、当該通電穴とする第１設置穴１８が形成されている第１展示部材１１の中継基板１３と通電ジャック１５とを接続するものとした。これにより、ジャック接続配線１５３の長さを短くすることを可能にした。然しながら、通電穴に設定する第１設置穴１８の数が少ない場合、中継基板１３の空コネクタが増加し、無駄となっていた。例えば、第１実施形態の態様では、１２個の第１コネクタ２０が空端子とされている。
【０１５８】
そこで、第５実施形態では、図２１に示すように、通電穴として設定する個数に応じて、中継基板１３を有する第１展示部材と、中継基板を有しない第１展示部材と、を備え、これら中継基板１３を有する第１展示部材及び中継基板を有しない第１展示部材を連結して、展示ケース１の展示台４（床部材）又は天井部材５を構成する。第３実施形態では、通電穴を４個に設定し、４個の第１展示部材１１を連結して展示台４（床部材）又は天井部材５を構成した。これにより、中継基板１３を有する第１展示部材１１を１個、中継基板１３を有しない第１展示部材１１を３個、の計４個を連結するものとしている。
【０１５９】
次に、図２１を用いて、複数個（４個）の第１展示部材１１を連結して構成した展示部材（床部材又は天井部材）の配線構造について説明する。図２１では、説明の便宜上、４個の第１展示部材１１を夫々第１展示部材［Ａ］、第１展示部材［Ｂ］、第１展示部材［Ｃ］、第１展示部材［Ｄ］として説明する（図２１に示す通り）。また、第１展示部材１１の中継基板１３に実装される４個の第１コネクタを、夫々第１コネクタ２０（ａ）、第１コネクタ２０（ｂ）、第１コネクタ２０（ｃ）、第１コネクタ２０（ｄ）として説明する（図２１に示す通り）。また、図２１は、展示台４の連結部材及びハウジング１４を取り外した状態で、ステージ部材１２、中継基板１３、通電ジャック１５、非通電ジャック１０１、配線、電源ユニット１５１等をハウジング１４側から見た図を示している。
【０１６０】
本第５実施形態では、前述した通り、連結した第１展示部材のうち第１展示部材［Ａ］のみ中継基板１３を有するものとし、他の第１展示部材［Ｂ］乃至［Ｄ］は中継基板１３を有しないものとする。そして、第１展示部材［Ａ］の中継基板１３を電源ユニット１５１と通電可能に接続し、電力を供給するものとする。また、図２１に示すように、各ステージ部材１２には夫々４個のジャック嵌合部４０が設けられており、そのうち、拡張ステージ面の角部である四隅部に位置する４箇所の第１設置穴１８を通電穴とすべく、対応する位置のジャック嵌合部４０に通電ジャック１５を嵌合設置している。この４箇所は、各ステージ部材１２に１箇所ずつ設けられている。また、その他１２個のジャック嵌合部４０は、通電穴に設定しないため、非通電ジャック１０１を嵌合設置して非通電穴としている。通電穴としない場合でも、非通電ジャック１０１を嵌合設置して非通電穴とすることで、この非通電穴に所定の装飾物を挿入し、設置する（展示する）ことが可能となる。
【０１６１】
配線構造については、第１展示部材［Ａ］の中継基板１３の第２コネクタ２１と電源ユニット１５１のコネクタとを、電源ケーブル（第３配線１５９）のコネクタ１６０、１６１によって接続する。他の第１展示部材［Ｂ］乃至［Ｄ］には中継基板１３がないため、第１展示部材［Ａ］の中継基板１３の第３コネクタ２２は、空コネクタ（空端子）とされる。尚、１又は２の他の中継基板１３（連結される第１展示部材の数より少ない複数の中継基板）が存在する場合には、この第３コネクタ２２を用いて他の第１展示部材の中継基板と接続される。
【０１６２】
また、第１展示部材［Ａ］の第１コネクタ２０（ａ）と、第１展示部材［Ａ］の角部（拡張ステージ面の角部）に位置する通電ジャック１５の接続端子４６とを、ジャック接続配線（第１配線１５３）のコネクタ１５４、１５５によって接続する。また、第１展示部材［Ａ］の第１コネクタ２０（ｂ）と、第１展示部材［Ｂ］の角部（拡張ステージ面の角部）に位置する通電ジャック１５の接続端子４６とを、ジャック接続配線（第１配線１５３）のコネクタ１５４、１５５によって接続する。また、第１展示部材［Ａ］の第１コネクタ２０（ｃ）と、第１展示部材［Ｃ］の角部（拡張ステージ面の角部）に位置する通電ジャック１５の接続端子４６とを、ジャック接続配線（第１配線１５３）のコネクタ１５４、１５５によって接続する。また、第１展示部材［Ａ］の第１コネクタ２０（ｄ）と、第１展示部材［Ｄ］の角部（拡張ステージ面の角部）に位置する通電ジャック１５の接続端子４６とを、ジャック接続配線（第１配線１５３）のコネクタ１５４、１５５によって接続する。
【０１６３】
尚、ジャック接続配線（第１配線１５３）により、所定の第１展示部材の中継基板１３と、他の第１展示部材の通電ジャック１５の接続端子４６とを接続する際には、当該ジャック接続配線をハウジング１４の配線穴２７を挿通して接続するものとする。これにより電気配線が展示台４（展示ケース１）の外部に必要以上に露出せず、意匠性、装飾性が低下するのを防止することが可能となる。尚、本第３実施形態では、４個の第１コネクタ２０を有する中継基板１３を１個設け、通電穴を４個設けたので、第１コネクタ２０に空端子は生じていない。
【０１６４】
以上説明した構成としたことで、展示部材に無駄な（過剰な数の）中継基板１３を設ける必要がなく、コストを低減することが可能である。また、第１展示部材１１を複数連結した場合において、中継基板１３を備えない分、展示部材（床部材又は天井部材）を軽量化することが可能となる。特に、天井部材として多数の第１展示部材１１を連結した場合には、部材を軽量化することで、重量により（連結部材が損傷等して）部材の連結が外れてしまったり、展示部材や電気配線等が損傷してしまったりするのを極力防止することが可能となる。尚、本第５実施形態を、第１実施形態乃至第４実施形態の１又は複数と組合せてもよい。
【０１６５】
［第６実施形態］
第１実施形態乃至第５実施形態の展示ケースでは、当該展示ケースを構成する展示台４（床部材）及び天井部材５を、１又は複数の第１展示部材１１又は／及び第２展示部材６１で構成するものとした。本第６実施形態では、図２２乃至図２５に示すように、展示ケースの展示台４を、第１展示部材１１及び第２展示部材６１の何れとも構造が異なる第３展示部材３１０で構成する。尚、第３展示部材３１０を装飾物等を展示可能な展示台４（飾り台）として用いてもよいし、展示ケースとして用いてもよい。展示ケースとして用いる場合には、展示台４（床部材）を１又は複数の第３展示部材３１０で構成し、天井部材５を１又は複数の第１展示部材１１又は／及び第２展示部材６１で構成することが可能である。
【０１６６】
図２２乃至図２５を用いて、第６実施形態の展示部材（第３展示部材３１０）について説明する。図２２（ａ）は、第３展示部材３１０を上方（特別発光ステージ面側）から見た図を示す。また、図２２（ｂ）は、第３展示部材３１０を正面側（図２２（ａ）の紙面下端側）から見た図を示す。図２２（ｃ）は、第３展示部材３１０を背面側（図２２（ａ）の紙面上端側）から見た図を示す。図２２（ｄ）は、第３展示部材３１０を左側面側（図２２（ａ）の紙面左端側）から見た図を示す。図２２（ｅ）は、第３展示部材３１０を右側面側（図２２（ａ）の紙面右端側）から見た図を示す。また、図２３は、第３展示部材３１０の分解斜視図を示すものである。
【０１６７】
図２２及び図２３に示すように、第３展示部材３１０は、平面状の特別発光ステージ面３２１を有する特別発光ステージ部材３１１と、特別発光ステージ部材３１１とハウジング３１５との間に挟まれて第３展示部材３１０の側壁を囲うロの字型の側壁部材３１４と、特別発光ステージ部材３１１及び側壁部材３１４と組合せることで箱形状の箱体（筐体）を構成するハウジング３１５と、でその外形を構成する。また、第３展示部材３１０は、当該箱体の内部空間（収納空間）に、所定方向に揺動する平板状の揺動光拡散板３１２と、ＬＥＤ中継基板３１３（「中継部」、「ＬＥＤ中継部」ともいう）と、を備えている。そして、ＬＥＤ中継基板３１３を所定の配線（電気配線）で接続すると共に、これら、特別発光ステージ部材３１１、揺動光拡散板３１２、ＬＥＤ中継基板３１３、及び、ハウジング３１５を、所定の順序・位置で嵌め合わせ、４個のビス３５０で固定することで、第３展示部材３１０を構成している。尚、揺動光拡散板３１２を、「揺動式光拡散板」や「揺動板」や「揺動部材」ともいう。
【０１６８】
ここで、第１実施形態で説明した第２展示部材６１は、内部に、発光部材（ＬＥＤチップ７４）を実装したＬＥＤ基板（ＬＥＤ中継基板６５）を有しており、この発光部材を発光することで、第２展示部材６１自体を発光させている（発光ステージ面７９から光を出射（照射）する）。これにより、図１に示すように、展示ケース１の展示台（床部材）として第２展示部材６１を設置した場合には、床面の略全体を光らせることで、展示空間６（第１空間７及び第２空間８）の下方から、展示空間６（第１空間７及び第２空間８）内や展示ケース１内に展示された装飾物を照射することが可能となる。またこれにより、装飾物及び展示ケース１の装飾性を向上させることが可能となる。
【０１６９】
一方、第２展示部材６１は一定の装飾効果はあるものの、単に発光ステージ面７９から光を照射するだけである（照射方向は変化しない）ので、装飾性の変化に乏しいといった課題もある。そこで、本第６実施形態の展示部材である第３展示部材３１０は、第２展示部材６１と同様に、内部に、発光部材（ＬＥＤチップ３３４）を実装したＬＥＤ中継基板３１３（「特別ＬＥＤ中継基板」ともいう）を有し、この発光部材を発光することで、第３展示部材３１０自体を発光させている（特別発光ステージ面３２１から光を出射（照射）する）。
【０１７０】
これに加えて、第３展示部材３１０は、ＬＥＤ中継基板３１３（ＬＥＤチップ３３４）と、特別発光ステージ部材３１１（特別発光ステージ面３２１）と、の間に、所定の揺動軸を軸として揺動可能な光拡散板（揺動光拡散板３１２）を設置している。これにより、発光部材（ＬＥＤチップ３３４）が照射する光が、揺動光拡散板３１２の揺動によって屈折方向を変化したり、又、発光部材が照射する光を拡散する揺動光拡散板３１２と、当該揺動光拡散板３１２によって拡散される光を映し出す特別発光ステージ面３２１と、の距離が変化したりすることで、特別発光ステージ面３２１に映し出される（特別発光ステージ面３２１から照射される）光の視認態様が変化する。またこれにより、特別発光ステージ面３２１上の光の装飾態様（視認態様）を、揺動光拡散板３１２の揺動に応じて変化させ、装飾効果を高めることが可能となる。
【０１７１】
尚、この揺動式の光拡散板は、第３展示部材３１０の内部において動作すれば足り、動作態様は「揺動」に限らない。例えば、振動であってもよいし、横方向へのスライド動作であってもよいし、縦方向への動作であってもよいし、回転（回動）動作であってもよいし、これらを組合せた動作であってもよい。すなわち、ＬＥＤ中継基板３１３に実装されるＬＥＤ３３４が照射する光の屈折方向（拡散方向）を変化させたり、光拡散板と特別発光ステージ面との距離を変化させたりするように、光拡散板（光拡散部材）を動作させればよいので、この「揺動光拡散板」を、「可動光拡散板」や「可動式光拡散板」や「可動部材」ともいう。また、第３展示部材３１０を、「特別発光展示部材」や「特別発光設置部材」ともいう。
【０１７２】
また、本第６実施形態では、第３展示部材３１０を１個で、又は、複数連結して、展示ケースを構成する展示台（床部材、飾り台）として用いている。そして、第３展示部材３１０の平板状の特別発光ステージ面３２１上には、所定の装飾物等を設置可能（展示可能）である。また、展示台として設置した第３展示部材３１０を発光させ、且つ、揺動光拡散板３１２を揺動動作させることで、照射態様（視認態様）が変化する光で、特別発光ステージ面３２１上に載置した装飾物等を足元から照射する。また、装飾物等の足元（特別発光ステージ面３２１）を照射態様（視認態様）が変化する態様で光らせ、装飾物及び展示ケース（展示台）の装飾性を向上させることが可能となる。
【０１７３】
尚、第３展示部材３１０を、第１実施形態の展示台や天井部材のように複数連結する場合には、所定の連結部材（第１実施形態の連結部材と一部大きさが異なる同様の構造の連結部材）によって、連結することが可能である。また、第３展示部材３１０を、展示ケースを構成しない単なる展示台（飾り台）として用いることも可能である。
【０１７４】
特別発光ステージ部材３１１は、図２３に示すように、特別発光ステージ面３２１と対向する側が開口した凹状の箱形状に形成されており、特別発光ステージ面３２１（図２３の図示上面）は１辺が１００ｍｍの正方形状とされ、その表面は平面状とされている。尚、第３展示部材３１１の厚みは、第１展示部材１１及び第２展示部材６１よりも厚い、およそ３５ｍｍ程度とされている。また、特別発光ステージ部材３１１には、特別発光ステージ面３２１の裏面側空間を取り囲むように、特別発光ステージ面３２１と垂直方向に周壁部３２２が設けられている。そして、対向する両側の（２箇所の）周壁部８９の夫々に、後述する側壁部材３１４の係合爪３４３が係合する係合穴３２４が設けられている。
【０１７５】
また、係合穴３２４が設けられていない対向する両側の（２箇所の）周壁部８９の夫々に切欠部３２３が設けられ、この切欠部３２３には、後述する揺動光拡散板３１２の揺動軸（第１揺動軸３２８、第２揺動軸３３０）、及び、当該揺動軸を軸支する軸支部（第１軸支部３４６、第２軸支部３４８）が位置することとなる。また、特別発光ステージ部材３１１は、ＬＥＤチップ３３４が発光した際に、（揺動光拡散板３１２を介して）当該光を第３展示部材３１０外部に照射するため、光透過性（透光性）の樹脂で成形されている。具体的に、特別発光ステージ部材３１１を構成する素材として、拡散剤入りの光透過性樹脂、又は当該拡散剤入りの光透過性樹脂に着色（例えば、水色）したもの、又は乳白色（必要に応じて着色（例えば水色乳白色））の樹脂、又は拡散剤入りの乳白色の樹脂を挙げることができる。このような素材で構成することで、揺動光拡散板３１２で拡散した光を、特別発光ステージ面３２１に効果的に映し出すことが可能となる。
【０１７６】
具体的に、特別発光ステージ部材３１１を、拡散剤入りの光透過性樹脂を水色に着色した材料で形成することで、特別発光ステージ面３２１を、太陽光があたった海面がゆらゆらしているように見せることができる。また、拡散剤入りの光透過性樹脂を赤色に着色した材料で形成することで、特別発光ステージ面３２１を、炎がゆらゆら揺れているように見せることができる。これにより、装飾効果を高めることができる。
【０１７７】
図２３及び図２４に示すように、揺動光拡散板３１２は、ＬＥＤ中継基板３１３におけるＬＥＤチップ３３４の実装面積より広い面積であって、特別発光ステージ面３２１の裏面側空間において、特別発光ステージ面３２１の裏面側を被覆する大きさで、略正方形（端部に一部切欠を有する）の平板状に形成されている。この揺動光拡散板３１２は、ＬＥＤチップ３３４（発光部）から出射した光を広範囲に拡散するためのもので、これにより特別発光ステージ面３２１から見える光が、所謂点発光となるのを極力防止することが可能となる。また、図２４に示すように、この揺動光拡散板３１２の裏面部３２６（一方側面）には波状（所定の凹凸形状）に光拡散部（レンズ部）が形成されており、この波状形状によって多様な方向（広範囲）に光を拡散することが可能となる。
【０１７８】
また、このように構成した光拡散板（揺動光拡散板３１２）を、第３展示部材３１０の内部で揺動可能としたことで、当該揺動光拡散板３１２で拡散した光を、特別発光ステージ面３２１に効果的に映し出すことを可能とした。具体的に、特別発光ステージ部材３１１を、拡散剤入りの光透過性樹脂を水色に着色した材料で形成することで、特別発光ステージ面３２１を、太陽光があたった海面がゆらゆらしているように見せることができる。また、拡散剤入りの光透過性樹脂を赤色に着色した材料で形成することで、特別発光ステージ面３２１を、炎がゆらゆら揺れているように見せることができる。これにより、装飾効果を高めることができる。また、本第６実施形態の揺動光拡散板３１２はポリカーボネートで形成しているが、これに替えて、又は加えて、塩化ビニルフィルム等の樹脂で形成した薄い光拡散シート（光拡散フィルム）を設けてもよい。また、揺動光拡散板の面に形成される凹凸形状は、揺動光拡散板の表面部に形成してもよいし、表面及び裏面の両面に形成してもよい。
【０１７９】
また、揺動光拡散板３１２の対向する２辺であって、前述した特別発光ステージ部材３１１の周壁部３２２の切欠部３２３と対向する側の２辺には、その端部中央位置から特別発光ステージ部材３１１側（表面部３２５側）に突出する第１軸支持部３２７及び第２軸支持部３２９が、夫々設けられている。また、第１軸支持部３２７及び第２軸支持部３２９の夫々の上部から、揺動光拡散板３１２の表面部３２５と平行方向で、且つ外方向に向けて、第１揺動軸３２８及び第２揺動軸３３０が形成されている。図２４（ａ）、（ｂ）に示すように、この第１揺動軸３２８及び第２揺動軸３３０は何れも、三角柱形状とされ、下方（側壁部材３１４側）に向けて鋭角となる（下端が尖る）ように形成される。これにより、第１揺動軸３２８及び第２揺動軸３３０の下端部が鋭角となり、第１揺動軸３２８及び第２揺動軸３３０を、後述する第１軸受部３４６及び第２軸受け部３４８上に夫々載置した際の、接触面積を少なくして揺動時の摩擦を減らし、小さい力で揺動し易くしている。
【０１８０】
また、図２３及び図２４に示す点線Ａは、第１揺動軸３２８及び第２揺動軸３３０によって作られる揺動光拡散板３１２の揺動軸を、垂直下方向に、揺動光拡散板３１２の表面上に投影した「投影揺動軸（点線Ａ）」を示す。また、揺動光拡散板３１２の裏面部３２６であって、投影揺動軸（点線Ａ）上の所定位置（中心より第１軸支持部３２７寄り）には、円筒状の磁石装着部３３２が設けられている。そして、この磁石装着部３３２の下面には磁石を嵌め込む凹部が設けられており、この凹部に磁石３３３（永久磁石）を嵌合する。尚、この揺動光拡散板３１２は略左右対称に形成されており、且つ、第１揺動軸３２８及び第２揺動軸３３０は、揺動光拡散板３１２の中心軸上に設けられており、且つ、磁石装着部３３２（磁石３３３）は投影揺動軸上に設けられている。これにより、揺動光拡散板３１２は、第１揺動軸３２８及び第２揺動軸３３０を第１軸受部３４６及び第２軸受け部３４８上に載置した状態で、水平に保たれる。
【０１８１】
また、揺動光拡散板３１２の対向する２辺であって、前述した特別発光ステージ部材３１１の周壁部３２２の係合穴３２４と同じ側の２辺には、夫々切欠凹部３３９が設けられている。これにより、揺動光拡散板３１２が揺動（作動）した際に、当該揺動光拡散板３１２と、側壁部材３１４の係合爪部３４３が設けられる内方突出部３４９と、が衝突しないようにしている。
【０１８２】
また、ＬＥＤ中継基板３１３は、図２３及び図２５に示すように、略正方形の平板状に形成される。また、ＬＥＤ中継基板３１３の四隅には、嵌合凹部３３６が設けられており、当該嵌合凹部３３６が、後述する側壁部材３１４の四隅に設けられた４個の固定部３４１の内側に挟まれるようにして、固定部３４１と嵌合する。また、ＬＥＤ中継基板３１３の中央のＬＥＤチップを取り囲むように、４個の挿入穴３３５が設けられている。また、ＬＥＤ中継基板３１３のＬＥＤ中継基板表面部３５２（特別発光ステージ部材３１１側面）には、所定間隔で９個（９組）のＬＥＤチップ７４が実装されている（図２５（ａ）を参照）。尚、本ＬＥＤ中継基板３１３の基本構成（コイル取付部３３７及びコイル３３８を除く）は、第２展示部材６１のＬＥＤ中継基板６５と同様であるので、詳細な説明を省略する。
【０１８３】
また、図２３及び図２５に示す点線Ｂは、第１揺動軸３２８及び第２揺動軸３３０によって作られる揺動光拡散板３１２の揺動軸を、垂直下方向に、ＬＥＤ中継基板３１３の表面上に投影した「投影揺動軸（点線Ｂ）」を示す。そして、ＬＥＤ中継基板３１３の表面部３５２であって、投影揺動軸（点線Ｂ）上から、当該投影揺動軸から離れる方向に所定距離ずらしてコイル３３８（空芯コイル）が設けられている。すなわち、コイル３３８の中心部が投影揺動軸（点線Ｂ）上に位置しないように配置している。また、コイル３３８の巻線部が投影揺動軸（点線Ｂ）上に位置するように配置している。
【０１８４】
図２５（ａ）に示すように、このコイル３３８は、コイル取付部３３７を介して、ＬＥＤ中継基板３１３上に実装されている。そして、電力供給手段（電源ユニット１５１）からの電力供給によりコイル３３８に通電すると、コイル３３８に電流が流れ、所定方向の磁力を発生する。また、この磁力が、揺動光拡散板３１２の裏面に設けられた磁石３３３に作用して、揺動光拡散板３１２が揺動を開始する。そして、ＬＥＤ中継基板３１３には図示しない所定の制御回路（揺動制御部）が実装されており、この揺動光拡散板３１２は、振り子の原理と、揺動に伴って磁石３３３がコイル３３８近傍を通過する際に生じる起電力と、を利用して、揺動を継続する。尚、この磁石３３３及びコイル３３８によって、揺動光拡散板３１２の揺動を行っているので、これら磁石３３３及びコイル３３８を「駆動源」や「駆動機構」ともいう。
【０１８５】
また、ＬＥＤ中継基板３１３の裏面部３５３には、電源ユニット１５１又は他の第３展示部材のＬＥＤ中継基板と接続可能な第６コネクタ３５４と、他の第３展示部材のＬＥＤ中継基板と接続可能な拡張用の第７コネクタ３５５と、を設けている。そして、この第６コネクタ３５４を所定の配線によって電源ユニット１５１と接続し、第３展示部材３１０を複数連結する場合には、この第７コネクタ３５５を所定の配線によって他の第３展示部材のＬＥＤ中継基板と接続する。これにより、連結される第３展示部材３１０のＬＥＤ中継基板３１３が電気的に接続され、電源ユニット１５１の電源スイッチ１５２をＯＮにすることで、当該ＬＥＤ中継基板３１３に実装されるＬＥＤチップ３３４を所定の発光態様で発光させると共に、揺動光拡散板３１２の揺動を開始させることが可能となる。
【０１８６】
また、側壁部材３１４は、図２３に示すように、第３展示部材３１０の側壁を囲うロの字型に形成されている。また、特別発光ステージ部材３１１及びハウジング３１５の間において、収納空間を取り囲むように形成され、特別発光ステージ部材３１１の周壁部３２２及びハウジング３１５の外側周壁部９６と連なる側壁部３４０を有している。また、側壁部材３１４の対向する２辺の側壁部３４０であって、特別発光ステージ部材３１１の係合穴３２４と対向する側の側壁部３４０には、夫々中央部辺りに、収納空間側（内側）に突出する（凹む）内方突出部３４９を有している。そして、この内方突出部３４９を上方（特別発光ステージ部材３１１側）に延出して先端部に鉤状の係合爪３４３を設けている。
【０１８７】
また、側壁部材３１４の対向する２辺の側壁部３４０であって、係合爪３４３（内方突出部３４０）が設けられていない側の側壁部３４０には、中央上端部からＭ字状に突出する第１突部３４５及び第２突部３４７を夫々有している。第１突部３４５及び第２突部３４７の先端部は、Ｕ字状に切り欠いた第１軸受部３４６及び第２軸受部３４８が夫々形成されている。そして、側壁部材３１４の第１軸受部３４６及び第２軸受け部３４８上に、揺動光拡散板３１２の第１揺動軸３２８及び第２揺動軸３３０を夫々載置することで揺動軸を構成し、前述したコイル３３８及び磁石３３３の作用によって、この揺動軸を軸にして揺動を行うことが可能となる。また、側壁部材３１４の側壁部３４０の四隅内側には、下端部に固定穴３４２を有する固定部３４１を有している。そして、この固定部３４１にＬＥＤ中継基板３１３の嵌合凹部３３６を夫々嵌合させることで、ＬＥＤ中継基板３１３を収納空間内に位置決めする。
【０１８８】
また、側壁部材３１４の第１軸受部３４６及び第２軸受け部３４８上に、揺動光拡散板３１２の第１揺動軸３２８及び第２揺動軸３３０を夫々載置した状態で、側壁部３４０に設けた両係合爪３４３を、特別発光ステージ部材３１１の両係合穴３２４に係合させる。これにより、側壁部材３１４及び特別発光ステージ部材３１１を係合固定すると共に、揺動光拡散板３１２を、特別発光ステージ部材３１１の切欠部３２３内で軸支する。これにより、上部部材（特別発光ステージ部材３１１、揺動光拡散板３１２及び側壁部材３１４）を構成し、側壁部材３１４及び特別発光ステージ部材３１１を係合しつつ、揺動光拡散板３１２の脱落を防止する。
【０１８９】
またこれにより、第３展示部材３１０（上部部材）の構成部品を組合せた際に、第１揺動軸３２８及び第２揺動軸３３０、並びに、第１軸受部３４６及び第２軸受け部３４８（第１突部３４５及び第２突部３４７）が、特別発光ステージ部材３１１の切欠部３２３内に夫々収まる（位置する）ように形成される。また、第３展示部材３１０の構成部品を組合せた状態において、切欠部３２３に位置する第１揺動軸３２８及び第２揺動軸３３０の周りには隙間が形成されており、第１揺動軸３２８及び第２揺動軸３３０が、第１軸受部３４６及び第２軸受け部３４８上を自由に揺動可能となっている。
【０１９０】
ハウジング３１５は、図２３に示すように、第１展示部材１１及び第２展示部材６１のハウジング１４、６６と同様の形状とされており、内側底面９７と対向する側が開口した凹状の箱形状に形成される。尚、第２展示部材６１のハウジング６６と同じ構成部材には、第２展示部材６１のハウジング６６と同じ符号を付与する。従って、ハウジング３１５の構造についての詳細な説明は省略する。
【０１９１】
また、第３展示部材３１０を構成する（組合せて固定する）に際しては、まず、特別発光ステージ部材３１１、揺動光拡散板３１２及び側壁部材３１４を、係合穴３２４及び係合爪３４３等で結合して上部部材を構成する。そして、上部部材の側壁部材３１４の内側にＬＥＤ中継基板３１３を嵌合すると共に、当該ＬＥＤ中継基板をハウジング３１５のハウジング側固定突起９１上に載置する。そして、上部部材の側壁部材３１４の固定部３４１をハウジング３１５の係合穴９３に夫々挿入し、係合穴９３の反対側からビス３５０を挿入すると共に、当該ビス３５０を固定部３４１の固定穴３４２に挿入する。このビス３５０により、上部部材及びハウジング３１５を係合固定（結合固定）させる。これにより、第３展示部材３１０を構成する。
【０１９２】
また、第１展示部材１１及び第２展示部材６１のハウジング１４、６６と同様、ハウジング３１５の裏面側（外側底面側）には、他の第３展示部材３１０と連結するための、多数（複数）の連結穴９８が設けられている。また、第３展示部材３１０を他の第３展示部材３１０と連結する連結構造は、前述した第１展示部材１１の連結構造と同様に、第３展示部材用の背面側連結部材、正面側連結部材、側方側連結部材、及び、底部連結部材を用いて行う。また、第１実施形態と同様に、連結部材（カバー部材）と第３展示部材との間に形成される展示台の挿入溝と、同様にして形成される天井部材の挿入溝と、に透明アクリル板を挿入し、固定する。これにより、展示台（床部材）と天井部材との間の展示空間を透明アクリル板で囲って覆い、展示ケースを構成することが可能である。また、配線構造についても、第２展示部材６１を複数連結する場合と同様であるので、詳細な説明を省略する。
【０１９３】
また、前述した揺動光拡散板３１２を揺動させる駆動機構（コイル３３８及び磁石３３３）について、補足する。第３展示部材３１０を構成する各部品を組合せた状態で、且つ、電源スイッチ１５２をＯＦＦにした状態、すなわち、揺動光拡散板３１２が揺動していない状態（略水平状態）において、コイル３３８と磁石３３３とは、特定の位置関係とされている。具体的に、図２２（ａ）に示すように上方からみた場合、コイル３３８と磁石３３３とは、揺動軸方向に同じ位置で、且つ揺動軸と垂直方向に所定距離ずらして配置している。これは、揺動光拡散板３１２において、磁石３３３を投影揺動軸上に設けたため、コイル３３８の中心がＬＥＤ中継基板３１３上の磁石３３３の直下（投影揺動軸上）となるように配置したのでは、コイル３３８に電流を流しても揺動方向に力が作用しない。すなわち、コイル３３８に電流を流して磁力を発生させても、揺動光拡散板３１２が揺動しない。
【０１９４】
そこで、本第６実施形態のように、コイル３３８を、揺動軸と垂直方向に所定距離ずらして配置することで、コイル３３８に電流を流した際に、磁石３３８に、揺動光拡散板３１２を揺動させる方向の力（磁力）を作用させることを可能としている。また、一旦揺動を開始した後は、磁石３３８が揺動によってコイル３３８近傍を通過する際に発生する起電力を利用して振り子動作を維持する（加速動作させる）ことが可能となる。これにより、磁石やコイルの数を少なくし、コスト低減及び軽量化を図ることが可能となる。また、本構成とすることにより、小さい磁力で揺動光拡散板３１２を揺動させることが可能となる。またこれにより、発光展示部材内部で光拡散板を動作させることが可能となるので、光拡散板によって拡散する光を、当該光拡散板の動作に応じて異なる視認態様で、発光ステージ面上に映し出すことが可能となる。またこれにより、展示ケース及び展示ケース内に展示される装飾物の装飾効果を高めることが可能となる。
【０１９５】
前述の態様において、「装飾物を設置可能な設置部と、設置部を照射する発光部と、設置部と発光部との間に設けられ、所定態様で動作可能な可動光拡散部と、可動式光拡散部を動作させる駆動部と、を有する発光設置部材を備え、
発光設置部材を、電力を供給可能な電力供給手段と通電可能に接続し、
発光部を発光すると共に、可動光拡散部を動作させる」ことを特徴としてもよい。
【０１９６】
これにより、発光設置部材の内部に発光部と、可動式の光拡散部と、を設け、電力供給手段と通電することで、発光部を発光すると共に、可動光拡散部を動作させることを可能とした。これにより、光の視認態様を変化させることが可能となり、装飾性を高めることが可能となる。
【０１９７】
また、「可動光拡散部は揺動軸を有し、
発光設置部材は揺動軸を軸支する軸受部を有し、
可動光拡散部の揺動軸を、軸受部に設置することで、可動光拡散部を揺動動作させる」ことを特徴としてもよい。
【０１９８】
また、「可動光拡散部で拡散した光を設置部に映し、
設置部に映される光の視認態様が、可動光拡散部の動作に応じて変化する」ことを特徴としてもよい。
【０１９９】
［他の態様］
前述した第１乃至第５実施形態では、第１展示部材１１又は／及び第２展示部材６１を複数連結した展示部材を、床部材（展示台４）又は天井部材５として構成する例を示した。然しながら、このような態様に限らず、第１展示部材１１又は／及び第２展示部材６１を複数連結した展示部材を、床部材と垂直状に立設する壁面部や、傾斜状に設けられる壁面部として構成してもよい。そしてこれら壁面部に対して電気的装飾物（発光装飾物等）を設置したり、当該壁面部自体を発光させたりして、装飾性を高めることも可能である。
【０２００】
また、前述した第１乃至第５実施形態では、第１展示部材１１又は／及び第２展示部材６１を複数連結して展示部材（床部材、天井部材、壁面部）を構成する例を示したが、このような態様に限らない。床部材及び天井部材を、１個の第１展示部材１１又は／及び第２展示部材６１で夫々構成し、周囲（周壁）をアクリル板とすることで小型の展示ケース１としてもよい。
【０２０１】
また、第１実施形態では、天井部材５を、第１展示部材１１を複数連結して構成し、床部材（展示台４）を、第２展示部材６１を複数連結して構成した。このような態様に替えて、床部材（展示台）を、第１展示部材１１を複数連結して構成し、天井部材を第２展示部材６１を複数連結して構成してもよい。また、床部材及び天井部材の両方を、第１展示部材１１を複数連結して構成してもよいし、床部材及び天井部材の両方を第２展示部材６１を複数連結して構成してもよい。
【０２０２】
第１実施形態では、第１空間７及び第２区間の何れも周囲全てを箱状に覆う構成としている。これに替えて、第１空間７の少なくとも一部を覆わない構成としてもよい。一方、第２空間８は第１実施形態と同様に周囲全てを覆う必要がある。具体的に、本他の態様の展示ケースは、展示台を４個の第２展示部材６１で構成し、天井部材を２個の第１展示部材１１で構成する。そして、奥側の第２空間は第１実施形態と同様に展示台、天井部材、及び周囲を着色アクリル板（３枚）及びマジックミラーで覆われる。また手前側の第１空間は、展示台と背面側側壁部となるマジックミラーのみ有し、天井部材及び正面・左右の側壁部を有しない。これによっても、第１実施形態と同様の効果を奏する。
【０２０３】
第１実施形態では、第２空間８を区画する壁面（側壁面）において、背面側（マジックミラー１０と対向する側）の壁面を着色アクリル板９（不透明板）で構成した。これに替えて、この背面側の壁面を、少なくとも展示空間側を鏡面として第２空間を写す鏡面部材（鏡面壁）としてもよい。これにより、第２空間８に光が照射して第２空間８が明空間となった際に、第１空間側装飾物１４４及び第２空間側装飾物１４５を視認できると共に、鏡面部材に写る当該第２空間側装飾物の背面を視認することが可能となる。これにより、展示ケース及び装飾物の装飾効果を高めることが可能となる。
【０２０４】
また、第３実施形態では、展示ケース３０１の背面側の側壁部を導光板１８１としたが、これに変えて、正面側の側壁部を導光板１８１としてもよいし、左側又は右側の側壁部を導光板１８１としてもよい。また、側壁部の一面だけでなく、２面以上を導光板としてもよい。例えば、正面側と背面側を何れも導光板１８１としてもよい。このように、第１展示部材（第２展示部材）と連結部材とにより形成される挿入溝に、導光板及びＬＥＤ基板を挿入するだけで、展示ケースの側壁部の任意の少なくとも一面（一部）を導光板とすることが可能となる。これにより、所定の絵柄を表示又は非表示とすることが可能な導光板を任意の位置に取り付けることによって、展示ケース及び展示ケースに展示される装飾物の装飾性を向上することが可能となる。
【０２０５】
また第１実施形態と第３実施形態を組合せて構成することも可能である。具体的には、第１実施形態の展示ケースにおいて、第１空間又は／及び第２空間の、正面側側壁部又は／及び背面側側壁部を、導光板（導光板及びＬＥＤ基板を装着）とすることが可能となる。尚、第１空間の背面側側壁部を導光板とする場合には、導光板とマジックミラーとを重ねて配置することが可能である（何れを手前にしてもよい）。また、第２空間の背面側側壁部を導光板とする場合には、最背面の側壁部を不透明部材で構成し、その手前に重ねて導光板を配置することが可能である。また、ＬＥＤ基板のＬＥＤ（発光部）、及び、第２空間内に光を照射する発光部を、同時に、又は独立して、発光制御することで、視認態様を更に多様化することが可能となる。
【０２０６】
また、第１実施形態では、第２展示部材６１には、装飾物や支持部材を設置可能な設置穴を設けていないが、第２展示部材６１にも、このような設置穴を設け、発光ステージ面上に載置する装飾物等を支持・固定できるようにしてもよい。
【０２０７】
また、第１実施形態では、第１設置穴１８に挿入する穴径変換部材１７１上に、第２設置穴１９と同じ形状の設置穴を設けることで、支持部材１１０の設置箇所を増設するものとした。このような態様に加えて又は替えて、第１設置穴１８又は第２設置穴１９に挿入可能な挿入突起を有する変換部材（穴径変換部材と同形状）において、鍔部上に、設置穴に変えて、マグネットを埋め込んだマグネット部を有する変換部材を備えてもよい。これにより、装飾物等の下端部（足部）にマグネットを備える場合には、このマグネット同士を磁力によりくっつけることで、変換部材を介して、装飾物３をステージ面１７上に固定することが可能となる。
【０２０８】
電源ユニット１５１は、内部に二次電池（蓄電池）が内蔵され、この二次電池により電力を供給可能な構成とした。然しながらこのような態様に限らない。例えば、この二次電池に替えて又は加えて、電源ユニット１５１にＵＳＢコネクタを設け、ＵＳＢコネクタに接続されたノートパソコン等の電力供給部から電力を供給することを可能にしてもよい。また、これらに替えて又は加えて、電源ユニット１５１に固定式又は着脱式のコンセントケーブル及びコンセントプラグを設け、家庭用のコンセントから直接電力を供給することを可能にしてもよい。また、これらに替えて又は加えて、市販の所定サイズ・本数（例えば単３型を４本）の一次電池又は二次電池を挿入・取外し可能とし、これらによって電力を供給することを可能にしてもよい。
【０２０９】
また、前述した発明の他の態様として、「第１空間内の床部及び天井部の少なくとも一方には、複数の設置部が設けられており、
複数の設置部のうち所定の設置部を、電力を供給可能な電力供給部と接続すると共に、電力供給部と接続した設置部を通電設置部として設定し、
第１空間内に設定された通電設置部に第１発光部を設置可能とした
ことを特徴とする」ものとしてもよい。
【０２１０】
また、更に他の態様として、「第１空間内に設定された通電設置部に設定された第１発光部と、第２空間内に設定された通電設置部に設定された第２発光部と、第１発光部及び第２発光部の発光態様を制御する発光制御手段と、を備え、
発光制御手段は、第１発光部を発光させる第１態様と、第２発光部を発光させる第２態様と、第１発光部及び第２発光部を発光させる第３態様と、に制御可能であることを特徴とする」ものとしてもよい。
【０２１１】
第６実施形態の駆動機構は、投影揺動軸上に設けた１個の磁石（永久磁石）と、投影揺動軸上から僅かにずらして配置した１個のコイルと、によって構成した。然しながら、このような駆動機構に限定されない。例えば、磁石又は磁性部材を、揺動光拡散板の投影揺動軸上から一方側及び他方側にずれた位置に夫々１個ずつ配置する。そして、ＬＥＤ中継基板上の磁石又は磁性部材に対応する位置の夫々直下に、電磁石を配置する。そして、この電磁石の一方をＯＮ・他方をＯＦＦとし、その後、一方をＯＦＦ・他方をＯＮに切替え、これを繰り返すことによっても、揺動光拡散板を揺動させることが可能である。
【０２１２】
［その他］
前述した特許文献１は、台座の内部に光源を設置しているため、光源の配線等を台座内に被覆することで、配線の露出を防止して、きれいに見せることが可能となる。然しながら、台座のステージ板を介して光を照射するため、装飾物に照射する光量が低減してしまう。また、光源は、ステージ板よりも下方に配置されるため、装飾物に対する光の照射位置や照射角度が制限されてしまう。一方、特許文献１は、台座の端部から立設した自在アームの端部に光源を取り付け、当該光源によって装飾物の上方からも光を照射可能である。然しながら、光源の設置位置が固定されており、展示者の望む任意の位置・方向・角度等から光を照射することができない。前述した実施形態の展示ケースは、このような事情に鑑みてなされたものであり、装飾物に対する光の照射によって、装飾性を向上させることにある。また、前述した特許文献１は、台座のステージ上に設置される装飾物の下方から上方に向けて光を照射するため、装飾物の陰が生じ難く、きれいに見せることが可能となる。然しながら、特許文献１の構造を採用すると、装飾物を設置可能な範囲（ステージ板の面積）が限定され、装飾物の大きさが制限されたり、飾りケース（ショーケース）の設置空間に余剰空間が生じたりする場合がある。前述した実施形態の展示ケースは、このような事情に鑑みてなされたものであり、光を照射可能な発光設置部材を連結可能とすることによって、装飾性を向上させることにある。
【符号の説明】
【０２１３】
１      展示ケース（飾りケース）
３      装飾物
４      展示台（飾り台）
５      天井部材（飾り台）
１０    マジックミラー
１１    第１展示部材（設置部材）
１３    中継基板（中継部）
１７    ステージ面（設置部）
１８    第１設置穴（設置部、通電設置部）
１９    第２設置穴（設置部）
４７    通電固定穴（設置部、通電設置部）
５１    マジックミラー取付部材（取付部材）
６１    第２展示部材（設置部材、発光設置部材）
６５    ＬＥＤ中継基板（中継部）
７４    ＬＥＤチップ（発光部）
７９    発光ステージ面（設置部、発光部）
８１    発光装飾物
１５１  電源ユニット
１８１  導光板（導光部材）
１８７  ＬＥＤ基板
１８８  ＬＥＤ（導光発光部）
【図１】
2018011625.tif 000003
【図２】
2018011625.tif 000004
【図３】
2018011625.tif 000005
【図４】
2018011625.tif 000006
【図５】
2018011625.tif 000007
【図６】
2018011625.tif 000008
【図７】
2018011625.tif 000009
【図８】
2018011625.tif 000010
【図９】
2018011625.tif 000011
【図１０】
2018011625.tif 000012
【図１１】
2018011625.tif 000013
【図１２】
2018011625.tif 000014
【図１３】
2018011625.tif 000015
【図１４】
2018011625.tif 000016
【図１５】
2018011625.tif 000017
【図１６】
2018011625.tif 000018
【図１７】
2018011625.tif 000019
【図１８】
2018011625.tif 000020
【図１９】
2018011625.tif 000021
【図２０】
2018011625.tif 000022
【図２１】
2018011625.tif 000023
【図２２】
2018011625.tif 000024
【図２３】
2018011625.tif 000025
【図２４】
2018011625.tif 000026
【図２５】
2018011625.tif 000027